(57)【要約】【課題】異なる様式の投票用紙が混在した場合における投票用紙の開票作業における手間、時間およびコストを削減できる投票用紙分類機、投票用紙の分類方法および投票用紙の収納先の割り当て方法を提供すること。【解決手段】投票用紙分類機３では、異なる様式が混在した状態でホッパー１６にセットされた投票用紙Ｈが、１枚ずつ繰り出されてから、様式を判別され、識別される。投票用紙Ｈは、判別された様式別に、識別結果に応じて細分化され、複数の収納部（リジェクトトレイ１７やスタッカ３４）におけるいずれかに振り分けられる。【選択図】図３
2014154093.tif 000002
【特許請求の範囲】
【請求項１】
分類すべき投票用紙を、異なる様式の投票用紙が混在した状態でセットすることのできるセット部と、
前記セット部にセットされた投票用紙を１枚ずつ繰り出す繰出手段と、
前記繰出手段によって繰り出された投票用紙の様式を判別する判別手段と、
前記繰出手段によって繰り出された投票用紙を識別する識別手段と、
前記識別手段によって識別された投票用紙を収納するための複数の収納部と、
前記判別手段により判別された様式別に、投票用紙を前記識別手段による識別結果に応じて細分化し、前記複数の収納部におけるいずれかに振り分ける振分手段と、
を含むことを特徴とする、投票用紙分類機。
【請求項２】
前記複数の収納部は、投票用紙の様式毎に異なることを特徴とする、請求項１記載の投票用紙分類機。
【請求項３】
前記繰出手段により繰り出された投票用紙が搬送される搬送路を有し、
前記判別手段および識別手段は、前記搬送路に関連して設けられ、投票用紙の様式を判別したり、投票用紙を識別したりするためのセンサを共有することを特徴とする、請求項１または２記載の投票用紙分類機。
【請求項４】
投票用紙の様式の種類は、選挙の種類に対応することを特徴とする、請求項１〜３のいずれかに記載の投票用紙分類機。
【請求項５】
前記識別手段は、同じ候補名が記載された投票用紙について、ある様式の投票用紙の場合は、有効票と判断し、別の様式の投票用紙の場合は、無効票または疑問票と判断することを特徴とする、請求項１〜４のいずれかに記載の投票用紙分類機。
【請求項６】
前記振分手段は、正規の候補が特定される確定票以外の未確定票を、投票用紙の様式別に分けることを特徴とする、請求項１〜５のいずれかに記載の投票用紙分類機。
【請求項７】
未確定票のうち搬送不良のために排出されるリジェクト票を、様式が混在した状態で受け入れるリジェクト部を含み、
前記振分手段は、前記リジェクト部から前記セット部にセットされたリジェクト票を、再度振り分けることを特徴とする、請求項６記載の投票用紙分類機。
【請求項８】
異なる様式が混在した状態でセットされた投票用紙を１枚ずつ繰り出すステップと、
繰り出される投票用紙の様式を判別するステップと、
投票用紙を識別するステップと、
投票用紙を、様式の判別結果および識別結果に応じて様式別に細分化し、複数の収納部におけるいずれかに振り分けるステップと、
を含むことを特徴とする、投票用紙の分類方法。
【請求項９】
繰り出される投票用紙の様式を判別するステップと、投票用紙を識別するステップとが逆の順序で行われることを特徴とする、請求項８記載の投票用紙の分類方法。
【請求項１０】
投票用紙を様式毎に分けるステップと、
様式毎の投票用紙を種類毎にグループ化するステップと、
投票用紙を、様式別に、かつ、種類毎に収納すべき収納部と関連付けるステップと、
を含むことを特徴とする、投票用紙の収納先の割り当て方法。
【発明の詳細な説明】
【技術分野】
【０００１】
この発明は、投票用紙分類機、投票用紙の分類方法および投票用紙の収納先の割り当て方法に関する。
【背景技術】
【０００２】
投票用紙分類機として、下記特許文献１では、投票用紙分類装置が提案されている。この投票用紙分類装置は、基本ユニットと、基本ユニットに増設される複数の増設ユニットとを含んでおり、基本ユニットにおいて候補者名が読み取られた投票用紙は、基本ユニットや各増設ユニットに設けられた分類ポケットに、候補者名毎に分類して収納される。
また、下記特許文献２で提案された紙葉類計数仕分機では、ホッパに載置された紙葉類が、その種類毎に仕分けられ、いずれかのスタッカまで搬送される。
【０００３】
次に、特許文献２の紙葉類計数仕分機を用いた場合において、１つの選挙における投票用紙の投票から開票までの通常の流れを簡単に説明する。まず、開披作業として、投票箱を開いて中身の投票用紙を机の上に広げる。これらの投票用紙は、適当な枚数の束にされてから、紙葉類計数仕分機のホッパにセットされる。紙葉類計数仕分機において、ホッパにセットされた投票用紙は、正規の候補者が特定される確定票（有効票）であれば、候補者名毎のスタッカに仕分けられ、確定票以外の未確定票であれは、専用のスタッカまで搬送される。未確定票は、選挙の係員によって、確定票と判断できるかどうか１枚ずつ個別に審査される。確定票は、選挙の係員によって、候補者名毎に点検および計数される。そして、候補者名毎の計数結果を集計すると、開票作業が完了する。
【先行技術文献】
【特許文献】
【０００４】
【特許文献１】特開２０１１−１８６３０号公報
【特許文献２】特許第４７３３２１７号公報
【発明の概要】
【発明が解決しようとする課題】
【０００５】
投票用紙の様式（用紙の大きさ、色、記入枠の大きさや位置等）は、選挙毎に異なっている。具体的には、衆議院選挙と参議院選挙とでは、投票用紙の様式が異なっている。また、同じ選挙であっても、たとえば、投票日（当日）用の投票用紙と、期日前投票用の投票用紙とでは、投票用紙の様式が異なっている場合がある。また、衆議院選挙や参議院選挙では、選挙区用と比例区用とで、投票用紙の様式が異なっている。
【０００６】
そして、複数種類の選挙が同日実施される場合がある。その場合、従来では、各投票所において、選挙の種類に応じて複数の投票箱を用意しなければならず、手間と費用がかかる。特に、実施時期が変動する衆議院選挙と、他の選挙とが同日実施されることを想定して、複数の投票箱を計画的に準備しておくことは難しい。
そこで、１つの投票箱に複数種類の選挙の投票用紙をまとめて投票する運用が想定される。この場合、以下の問題が懸念される。なお、以下では、衆議院選挙の選挙区用および比例区用のそれぞれの投票用紙が１つの投票箱に投票される場合（１つの投票箱に選挙区用および比例区用のそれぞれの投票用紙が混在する場合）を例に挙げて説明する。
【０００７】
まず、投票用紙分類機が複数台あり、開披作業の段階で、手作業によって投票用紙を選挙区用と比例区用とに分けてから、選挙区用および比例区用のそれぞれの投票用紙を、それぞれに対する専用の投票用紙分類機にセットして分類する場合がある。この場合には、投票用紙を手作業によって選挙区用と比例区用とに分けるのが面倒である。また、投票用紙分類機を複数台準備しなければならないので、コスト面で問題がある。
【０００８】
かといって、投票用紙分類機が１台しかない場合には、選挙区用および比例区用におけるどちらか一方の投票用紙を１台の投票用紙分類機にセットして分類し終えてから、他方の投票用紙を当該投票用紙分類機にセットして分類しなければならないので、全ての投票用紙を分類するのに時間がかかる。また、投票用紙分類機における投票用紙の識別・分類条件を、当該一方の投票用紙と当該他方の投票用紙とで設定変更しなければならないので、手間がかかる。設定変更を間違うと、さらに手間がかかる。
【０００９】
また、投票用紙分類機が複数台ある場合において、開披作業の段階では投票用紙を選挙区用と比例区用とに分けず、（種類が混在した）投票用紙を、まずは、所定の投票用紙（ここでは、選挙区用の投票用紙）に対する専用の投票用紙分類機にセットする運用もあり得る。この場合には、この投票用紙分類機において、選挙区用の投票用紙が種類毎に分類されるが、分類の対象外である比例区用の投票用紙は、リジェクト票としてリジェクトされる。つまり、投票用紙分類機によって、投票用紙が選挙区用と比例区用とに分けられる。そして、リジェクトされた比例区用の投票用紙は、比例区用の投票用紙に対する専用の投票用紙分類機にセットして分類する。この場合には、最初に分類する種類の投票用紙（ここでは、選挙区用の投票用紙）の分類を行った後に、残りの種類の投票用紙（ここでは、比例区用の投票用紙）の分類が行われる。つまり、投票用紙を投票用紙分類機にセットして分類するという作業を、選挙区用の投票用紙と比例区用の投票用紙とで２回繰り返すことになるので、効率が悪いし、投票用紙全体の分類に時間がかかってしまう。
【００１０】
投票用紙分類機が１台しかない場合において、開披作業の段階では投票用紙を選挙区用と比例区用とに分けないとすると、投票用紙分類機において、たとえば、選挙区用の投票用紙が先に分類され、一方、比例区用の投票用紙は、リジェクト票としてリジェクトされる。そして、リジェクトされた比例区用の投票用紙は、選挙区用の投票用紙の全てについての分類が完了するまで、脇によけて放置される。そして、投票用紙分類機において選挙区用の投票用紙の全てについての分類が完了した後に、比例区用の投票用紙は、この投票用紙分類機にセットされて分類される。これでは、投票用紙全体の分類にさらに時間がかかってしまう。たとえば投票用紙が選挙区用と比例区用とで１万票ずつあった場合（合計で２万票あった場合）において、投票用紙分類機では結果的に３万票を識別することになる。
【００１１】
この発明は、かかる背景のもとでなされたもので、異なる様式の投票用紙が混在した場合における投票用紙の開票作業における手間、時間およびコストを削減できる投票用紙分類機、投票用紙の分類方法および投票用紙の収納先の割り当て方法を提供することを主たる目的とする。
【課題を解決するための手段】
【００１２】
請求項１記載の発明は、分類すべき投票用紙を、異なる様式の投票用紙が混在した状態でセットすることのできるセット部と、前記セット部にセットされた投票用紙を１枚ずつ繰り出す繰出手段と、前記繰出手段によって繰り出された投票用紙の様式を判別する判別手段と、前記繰出手段によって繰り出された投票用紙を識別する識別手段と、前記識別手段によって識別された投票用紙を収納するための複数の収納部と、前記判別手段により判別された様式別に、投票用紙を前記識別手段による識別結果に応じて細分化し、前記複数の収納部におけるいずれかに振り分ける振分手段と、を含むことを特徴とする、投票用紙分類機である。
【００１３】
請求項２記載の発明は、前記複数の収納部は、投票用紙の様式毎に異なることを特徴とする、請求項１記載の投票用紙分類機である。
請求項３記載の発明は、前記繰出手段により繰り出された投票用紙が搬送される搬送路を有し、前記判別手段および識別手段は、前記搬送路に関連して設けられ、投票用紙の様式を判別したり、投票用紙を識別したりするためのセンサを共有することを特徴とする、請求項１または２記載の投票用紙分類機である。
【００１４】
請求項４記載の発明は、投票用紙の様式の種類は、選挙の種類に対応することを特徴とする、請求項１〜３のいずれかに記載の投票用紙分類機である。
請求項５記載の発明は、前記識別手段は、同じ候補名が記載された投票用紙について、ある様式の投票用紙の場合は、有効票と判断し、別の様式の投票用紙の場合は、無効票または疑問票と判断することを特徴とする、請求項１〜４のいずれかに記載の投票用紙分類機である。
【００１５】
請求項６記載の発明は、前記振分手段は、正規の候補が特定される確定票以外の未確定票を、投票用紙の様式別に分けることを特徴とする、請求項１〜５のいずれかに記載の投票用紙分類機である。
請求項７記載の発明は、未確定票のうち搬送不良のために排出されるリジェクト票を、様式が混在した状態で受け入れるリジェクト部を含み、前記振分手段は、前記リジェクト部から前記セット部にセットされたリジェクト票を、再度振り分けることを特徴とする、請求項６記載の投票用紙分類機である。
【００１６】
請求項８記載の発明は、異なる様式が混在した状態でセットされた投票用紙を１枚ずつ繰り出すステップと、繰り出される投票用紙の様式を判別するステップと、投票用紙を識別するステップと、投票用紙を、様式の判別結果および識別結果に応じて様式別に細分化し、複数の収納部におけるいずれかに振り分けるステップと、を含むことを特徴とする、投票用紙の分類方法である。
【００１７】
請求項９記載の発明は、繰り出される投票用紙の様式を判別するステップと、投票用紙を識別するステップとが逆の順序で行われることを特徴とする、請求項８記載の投票用紙の分類方法である。
請求項１０記載の発明は、投票用紙を様式毎に分けるステップと、様式毎の投票用紙を種類毎にグループ化するステップと、投票用紙を、様式別に、かつ、種類毎に収納すべき収納部と関連付けるステップと、を含むことを特徴とする、投票用紙の収納先の割り当て方法である。
【発明の効果】
【００１８】
請求項１記載の発明によれば、この投票用紙分類機では、異なる様式が混在したままセット部にセットされた投票用紙が、様式別に、投票内容毎（たとえば候補毎）に細分化され、複数の収納部におけるいずれかに自動的に振り分けられる。つまり、１台の投票用紙分類機において、異なる様式の投票用紙をまとめて受け入れて一括分類することができる。この場合、開披作業の段階で、手作業によって投票用紙を様式別に分けてなくて済むので、開票作業における手間および時間を削減できる。また、開披作業に携わる人員を削減できる。また、投票用紙を様式毎に選別してセット部に交替でセットする場合と比べて、投票用紙分類機における分類条件（運用条件）の設定変更が不要であるし、異なる様式の投票用紙を混在したままの状態でセット部に１度セットすれば済む点でも、開票作業における手間および時間を削減できる。そして、この投票用紙分類機を採用すれば、１つの投票箱に、異なる様式の投票用紙をまとめて投票できるので、投票用紙分類機の台数だけでなく、投票所に設置する投票箱や投票用紙分類機の台数も少なく抑えることができ、投票所や開票所を簡素化することができる。
【００１９】
以上の結果、異なる様式の投票用紙が混在した場合における投票用紙の開票作業における手間、時間およびコストを削減できる。
請求項２記載の発明によれば、複数の収納部のそれぞれには、細分化された各投票内容の投票用紙が、様式毎に分けて収納されるので、収納部において、同じ投票内容でも様式の異なる投票用紙を区別する際に誤ることを防止できる。
【００２０】
請求項３記載の発明によれば、投票用紙の様式を判別したり、投票用紙を識別したりするための共通のセンサによって、判別手段および識別手段を簡易に構成することができる。
請求項４記載の発明によれば、この投票用紙分類機では、異なる選挙の投票用紙が混在したままセット部にセットされても、これらの投票用紙を、選挙別に、投票用紙の種類毎に細分化できる。
【００２１】
請求項５記載の発明によれば、同じ候補名が記載された投票用紙が、複数の様式において存在したとしても、その候補が記載されていてもよい様式の投票用紙の場合のみ、有効票と判断されるので、有効票の正確な分類が可能となる。
請求項６記載の発明によれば、この投票用紙分類機では、未確定票が投票用紙の様式別に分けられるので、未確定票を手作業で様式別に分けずに済む。
【００２２】
請求項７記載の発明によれば、前回の処理で細分化できなかったリジェクト票を、改めで、様式別、かつ、投票用紙の種類毎に細分化できる。
請求項８記載の発明によれば、異なる様式が混在したままの投票用紙を、様式別に、投票内容毎（たとえば候補毎）に細分化し、複数の収納部におけるいずれかに速やかに振り分けることができる。そのため、異なる様式の投票用紙が混在した場合における投票用紙の開票作業に係る手間、時間およびコストを削減できる。
【００２３】
ここで、請求項９記載の発明にように、繰り出される投票用紙の様式を判別するステップと、投票用紙を識別するステップとが逆の順序で行われても構わない。
請求項１０記載の発明にように、投票用紙を、様式別に、かつ、種類毎に収納すべき収納部と関連付けるように投票用紙の収納先を割り当てておけば、異なる様式が混在したままの投票用紙を、様式別に、投票用紙の種類毎（たとえば候補毎）に細分化し、複数の収納部におけるいずれかに速やかに振り分けることができる。そのため、異なる様式の投票用紙が混在した場合における投票用紙の開票作業に係る手間、時間およびコストを削減できる。
【図面の簡単な説明】
【００２４】
【図１】図１は、この発明の一実施形態に係る投票用紙分類システム１が机２上にセットされた状態を正面側から見た斜視図である。
【図２】図２は、投票用紙分類システム１の投票用紙分類機３の正面図である。
【図３】図３は、投票用紙分類機３の内部構造を示す模式図である。
【図４】図４は、投票用紙分類システム１の電気的な構成を示すブロック図である。
【図５】図５は、衆議院選挙の投票用紙Ｈ（Ｈａ，Ｈｂ）を模式的に示す図である。
【図６】図６は、衆議院選挙の投票用紙Ｈ（Ｈａ）と国民審査の投票用紙Ｈ（Ｈｃ）とを模式的に示す図である。
【図７】図７は、参議院選挙の投票用紙Ｈ（Ｈｄ，Ｈｅ）を模式的に示す図である。
【図８】図８は、町長選挙の投票用紙Ｈ（Ｈｆ，Ｈｇ）を模式的に示す図である。
【図９】図９は、制御ＰＣ４の表示部８に表示される設定画面９２を示す模式図である。
【図１０】図１０は、第１形態に係る設定内容を示す図である。
【図１１】図１１は、第２形態に係る設定内容を示す図である。
【図１２】図１２は、第３形態に係る設定内容を示す図である。
【図１３】図１３は、第４形態に係る設定内容を示す図である。
【図１４Ａ】図１４Ａは、投票用紙分類システム１において行われる制御動作の一例を示すフローチャートである。
【図１４Ｂ】図１４Ｂは、投票用紙分類システム１において行われる制御動作の一例を示すフローチャートである。
【発明を実施するための形態】
【００２５】
以下には、図面を参照して、この発明の実施形態について具体的に説明する。
図１は、この発明の一実施形態に係る投票用紙分類システム１が机２上にセットされた状態を正面側から見た斜視図である。
図１に示す投票用紙分類システム１は、選挙における開票所にセットされ、各投票所から開票所に集められた投票用紙を候補者毎および／または政党毎に自動的に分類する。なお、以下では、候補者および政党を「候補」と総称することにする。
【００２６】
投票用紙分類システム１は、投票用紙分類機３と、制御ＰＣ４と、プリンター５とを含んでいる。投票用紙分類機３は、投票用紙の分類作業を実際に行うものであり、制御ＰＣ４は、いわゆるパソコンであって、投票用紙分類機３における分類条件等を設定したり、投票用紙の記入内容を識別したりするものであり、プリンター５は、分類結果等を紙で出力するものである。なお、制御ＰＣ４を、投票用紙分類機３の一部とみなしてもよい。
【００２７】
投票用紙分類システム１は、たとえば、投票用紙分類機３と制御ＰＣ４とプリンター５とがこの順番で横並びになるように、机２の上にセットされる。制御ＰＣ４は、投票用紙分類機３およびプリンター５のそれぞれに対して通信ケーブル６を介して通信可能に接続されている。
開票所に集められた投票用紙の開票作業の流れの概要を説明すると、まず、投票終了後に、係員が、投票用紙が詰まった投票箱を開票所に持ち込み、投票箱内の投票用紙を机（投票用紙分類システム１がセットされた机２でもよい）の上に広げる。そして、係員は、机の上の投票用紙を適当に積み重ねて束にし、この束を投票用紙分類機３にセットする。投票用紙分類機３は、セットされた束から投票用紙を１枚ずつ取り込んで、投票用紙に記入された候補名（候補者名や政党名）を読み取る。読み取られた候補名は、制御ＰＣ４によって認識される。その後、投票用紙分類機３では、投票用紙が、候補名毎に分類され、投票用紙が候補者名毎に集計される。その後、分類された投票用紙は、係員によって目視で点検された後に再集計されると、一連の開票作業が完了する。
【００２８】
また、開票された投票用紙には、確定票と、未確定票という種類がある。
確定票は、正規の（つまり、選挙に正式登録されている）候補を選んだ（正規の候補が特定される）投票用紙であって、記入された候補名が正常に読み取られるとともに、当該候補名に間違いがなく、集計に加算できる有効票のことである。確定票は、投票用紙分類機３での集計を終えた後、係員による点検を受ける。
【００２９】
未確定票は、確定票以外の投票用紙のことであり、主に、白票、無効票、他事記載票、疑問票、按分票、リジェクト票（搬送不良票）に細分化される。
白票は、予め印刷された内容以外に何も記載されていない白紙の投票用紙のことである。無効票とは、何かしらの記入があるものの、いずれかの候補以外の名前（つまり、間違った候補名）や落書きが記入された投票用紙のことである。他事記載票は、候補名に加えて、候補名以外の余計な事項が記入された投票用紙のことである。
【００３０】
疑問票は、記入事項（ここでは候補名）の一部に間違いがあったり、不明瞭な部分があったりして、投票用紙分類機３では識別できず、有効票とするか否かについて人（係員）による判断が必要な投票用紙のことである。疑問票は、候補名が正しく記入されていないので、投票用紙分類機３では、疑問票から候補名を正常に読み取ること（識別）ができない。
【００３１】
按分票は、記入事項があいまいで、その記入事項から複数の候補のどちらを選んでいるのか分からない投票用紙のことである。たとえば、田中一郎と、田中二郎という同姓の候補者が二人いたとした場合に、苗字の「田中」だけが記入された投票用紙が按分票である。按分票の場合、たとえば、該当する複数の候補者のそれぞれにおける最終的な獲得票数から各候補者の取り分を設定して、按分票の１票を、当該複数の候補者のそれぞれの取り分毎に分割して、各候補者の獲得票に加算する。具体例を挙げると、先ほどの田中一郎が最終的に１０００票獲得し、田中二郎が最終的に５００票獲得した場合において、苗字の「田中」だけが記入された按分票が開票中に１票出てきたとする。この場合、田中一郎は、その１票に、１０００／（１０００＋５００）を乗じて得た値を、按分票における自身の取り分とすることができ、田中二郎は、その１票に、５００／（１０００＋５００）を乗じて得た値を、按分票における自身の取り分とすることができる。
【００３２】
無効票、白票、他事記載票、疑問票および按分票は、投票用紙分類機３による分類の後に、係員（厳密には、選挙を運営する審査係）によって目視で確認されるが、無効票および白票は、集計に加算できない。
リジェクト票は、投票用紙分類機３において、斜行状態（進行方向に対して所定以上傾斜した状態）や、先行する投票用紙または後続の投票用紙に異常接近した状態や、重送状態（複数枚の投票用紙が重なった状態）で搬送されたために記入事項の読み取りが行われなかった投票用紙のことである。リジェクト票は、記入事項自体に問題あって排除された訳ではないので、投票用紙分類機３に再度セットされる。
【００３３】
次に、投票用紙分類システム１、特に投票用紙分類機３の詳細について説明する。
図２は、投票用紙分類機３の正面図である。
図２において、紙面手前側が投票用紙分類機３の正面側（前側）であり、紙面奥側が投票用紙分類機３の背面側（後側）であり、紙面上側が投票用紙分類機３の上側であり、紙面下側が投票用紙分類機３の下側であり、紙面左側が投票用紙分類機３の左側であり、紙面右側が投票用紙分類機３の右側である。なお、以下では、投票用紙分類機３や、投票用紙分類機３を構成する部品の姿勢を特定する場合、先ほどの前後上下左右方向を用いることにする。
【００３４】
投票用紙分類機３は、本体ユニット１０と、スタッカユニット１１とを含んでいる。図２では、スタッカユニット１１が２台図示されている（３台目以降の図示は省略されている。後述する図３においても同様）。本体ユニット１０およびスタッカユニット１１は、いずれも縦長ボックス状であるが、本体ユニット１０は、１台のスタッカユニット１１よりも左右方向に幅広である。本体ユニット１０は、投票用紙を取り込んで記入事項を読み取って候補者毎に分類し、スタッカユニット１１は、分類された投票用紙を候補者毎に分けて集積する。
【００３５】
スタッカユニット１１は、本体ユニット１０に対して左側から連結される。また、別のスタッカユニット１１を、本体ユニット１０に連結されたスタッカユニット１１に対して左側から連結できる。同様の手順で、本体ユニット１０に対して複数台（この実施形態では最大で８台）のスタッカユニット１１を左側から直列で連結できる。つまり、この投票用紙分類機３では、候補者の数に応じて、スタッカユニット１１を自在に増設することができる。
【００３６】
本体ユニット１０は、略下半分をなす第１ブロック１２と、略上半分をなす第２ブロック１３とに分離可能である。第１ブロック１２および第２ブロック１３は、いずれも、左右に長手のボックス形状である。
また、第１ブロック１２の正面（前側面）には、矩形状の扉６２が設けられている。扉６２は、その下端部で左右に延びる回動軸を中心として回動することによって開閉可能である。図２では、扉６２が閉じた状態が示されている。扉６２の上端部に設けられた取っ手６２Ａに手を掛けて手前に引くと、扉６２を開くことができる。扉６２を開くと、第１ブロック１２の内部空間が正面側に露出される。
【００３７】
第２ブロック１３の正面には、矩形状の扉６３が設けられている。扉６３は、その左端部で上下に延びる回動軸を中心として回動することによって開閉可能である。図２では、扉６３が閉じた状態が示されている。扉６３の右端部に設けられた取っ手６３Ａに手を掛けて手前に引くと、扉６３を開くことができる。扉６３を開くと、第２ブロック１３の内部空間が正面側に露出される。
【００３８】
図３は、投票用紙分類機３の内部構造を示す模式図である。
図３を参照して、第１ブロック１２の右側面には、投入口１４と、リジェクト口１５とが上下に隣り合って設けられている（太い破線部分）。リジェクト口１５は、投入口１４よりも高い位置にある。第１ブロック１２には、投入口１４から連続して第１ブロック１２の内部へ向けて左側に窪む凹状のホッパー１６（セット部）と、リジェクト口１５から連続して第１ブロック１２の内部へ向けて左側に窪む凹状のリジェクトトレイ１７（収納部）とが設けられている。ホッパー１６の底面（ホッパー１６内で上を向いている面）１６Ａは、左下側へ傾斜して延びている。この底面１６Ａには、これから分類すべき多数枚の投票用紙Ｈを、上下に積層された状態で載置（セット）することができる。このとき、ジャム等の搬送不良を防ぐために、投票用紙Ｈの折り目は、係員によって取り除かれる。ホッパー１６は、第１ブロック１２の右側面の下端部という机２に近い位置にあるので、机２の上に広げた投票用紙Ｈをホッパー１６にセットしやすい。
【００３９】
そして、ホッパー１６において、外部からアクセスしやすい位置には、投票用紙分類機３による投票用紙Ｈの分類処理を開始したり、停止したりするために係員によって押下される操作ボタン７が設けられている（図１参照）。
また、リジェクトトレイ１７には、前述したリジェクト票（リジェクト票と分類された投票用紙Ｈ）が機内から排出されて収納される。リジェクトトレイ１７は、ホッパー１６に対してその上方の近傍に設けられているので、リジェクトトレイ１７に収納されたリジェクト票を取り出してホッパー１６に再セットしやすい位置にある。
【００４０】
本体ユニット１０内には、ホッパー１６にセットされた投票用紙Ｈを搬送する本体搬送路１８（搬送路）が形成されている。本体搬送路１８は、第１ブロック１２内に設けられた第１搬送路１９と、第２ブロック１３内に設けられた第２搬送路２０とを含んでいる。
第１搬送路１９は、第１ブロック１２内において、ホッパー１６の底面１６Ａの左端から、左側へ略水平に延び、第１ブロック１２の左側壁の手前で屈曲して上方ヘ略垂直に延び、再度屈曲して右側へ略水平に延びてから、上方ヘ向けて正面視で略Ｓ字に湾曲した後に、第１ブロック１２の上面に到達している。
【００４１】
第２搬送路２０は、第２ブロック１３内において、第２ブロック１３の下面において第１搬送路１９と連続する位置から上方へ延びてから右側へ正面視で略Ｓ字に湾曲した後、一旦上方へ延びてから湾曲して左側へ略水平に延び、第２ブロック１３の左側壁の手前で屈曲して上方ヘ略垂直に延び、再度屈曲して左側へ湾曲した後に、第２ブロック１３の左側面に到達している。
【００４２】
このような本体搬送路１８（第１搬送路１９、第２搬送路２０）では、ホッパー１６に近づく側が上流側となり、ホッパー１６から離れる側（第１搬送路１９から第２搬送路２０へ向かう側）が下流側となる。本体搬送路１８の下流側端１８Ａは、本体搬送路１８における出口となり、第２ブロック１３の左側面の上端部に設けられている。また、本体ユニット１０内には、本体搬送路１８に臨む複数の位置に、モータ（図示せず）に回転駆動される大小様々の搬送ローラ２４（搬送ベルトでもよい）が設けられている。また、第１ブロック１２では、モータ（図示せず）に回転駆動される取込ローラ２５が、ホッパー１６の底面１６Ａから部分的に露出されるように設けられている。
【００４３】
ホッパー１６の底面１６Ａにセットされた投票用紙Ｈは、取込ローラ２５によって第１搬送路１９に取り込まれた後に、各搬送ローラ２４によって本体搬送路１８内を上流側から下流側へ向けて搬送される。本体搬送路１８は、左右上下に湾曲しているものの、前後方向に偏るように形成されていないので、本体搬送路１８内で流れる投票用紙Ｈが途中で詰まりにくくなっている。
【００４４】
また、第１ブロック１２には、第１読取センサ３１と、第２読取センサ３２とが設けられている。第１読取センサ３１および第２読取センサ３２は、第１搬送路１９で左側へ略水平に延びる部分において、ホッパー１６から少し下流側に配置されていて、第１読取センサ３１は、第１搬送路１９を上から臨み、第２読取センサ３２は、第１搬送路１９を下から臨んでいる。つまり、第１読取センサ３１および第２読取センサ３２は、第１搬送路１９に関連して設けられている。第１搬送路１９を搬送される投票用紙Ｈが第１読取センサ３１の真下を通過すると、第１読取センサ３１は、投票用紙Ｈにおいて上を向いている面の画像を読み取る。第１搬送路１９を搬送される投票用紙Ｈが第２読取センサ３２の真上を通過すると、第２読取センサ３２は、投票用紙Ｈにおいて下を向いている面の画像を読み取る。第１読取センサ３１および第２読取センサ３２は、第１搬送路１９に沿う方向において同じ位置に配置されていてもよいし、図３に示すように、ずれて配置されていてもよい。
【００４５】
本体ユニット１０内において、本体搬送路１８の一部には、スイッチバック搬送路２１と、リジェクト搬送路２２と、スパイラル搬送路２３とが接続（バイパス）されている。これにより、スイッチバック搬送路２１、リジェクト搬送路２２およびスパイラル搬送路２３は、本体搬送路１８の一部になっている。
スイッチバック搬送路２１は、第１ブロック１２内に設けられている、スイッチバック搬送路２１は、第１搬送路１９において右側へ略水平に延びている部分から上側へ分岐して左側へ略水平に延びた後、正面視で略Ｖ字状をなすように右上側へ延び、第１搬送路１９（先ほど分岐した位置よりも下流側の部分）に合流している。スイッチバック搬送路２１において略Ｖ字をなしていると先ほど説明した部分を、反転空間２６と呼ぶことにする。反転空間２６は、厳密には、輪郭が略Ｖ字をなしているものの、正面視で左側へ向けて細くなる三角形状の断面を有する１つの空間であって、スイッチバック搬送路２１の途中に位置している。反転空間２６における左端部を、反転空間２６の「奥部分」ということにする。
【００４６】
第１ブロック１２では、反転空間２６における奥部分とは反対側（右側）に、叩きローラ２７が設けられている。叩きローラ２７は、前後方向に延びた回転軸を有する回転体であって、その外周面には、径方向外側へ突出する複数の叩きゴム２７Ａが周方向に等間隔で設けられている。また、第１ブロック１２では、反転空間２６の上方に、無端状の搬送ベルト２８が設けられている。搬送ベルト２８の下側外周面が、反転空間２６を上側から臨んでいる。搬送ベルト２８は、モータ（図示せず）から駆動力を受けることで、正面視で反時計回りに周回移動する。第１ブロック１２では、反転空間２６の奥部分に、ガイド部材２９が設けられている。ガイド部材２９は、反転空間２６の奥部分を規定するものであり、投票用紙Ｈの大きさに応じて、自身の位置を変えることができる（破線矢印参照）。また、スイッチバック搬送路２１に臨む位置に、前述した搬送ローラ２４が適宜設けられている。
【００４７】
リジェクト搬送路２２は、第１ブロック１２内に設けられている。リジェクト搬送路２２は、スイッチバック搬送路２１が第１搬送路１９に合流した位置よりも下流側の位置において、第１搬送路１９から分岐して右側へ略水平に延び、リジェクトトレイ１７につながっている。また、リジェクト搬送路２２に臨む位置に、前述した搬送ローラ２４が適宜設けられている。
【００４８】
スパイラル搬送路２３は、第２ブロック１３内に設けられている。スパイラル搬送路２３は、第２搬送路２０において左側へ略水平に延びている部分より手前（上流側）の部分から上側へ分岐した後、湾曲して左側へ延び、第２ブロック１３の左側壁の手前で上側へ湾曲しながら第２搬送路２０（先ほど分岐した位置よりも下流側の部分）に合流している。また、スパイラル搬送路２３に臨む位置に、前述した搬送ローラ２４が適宜設けられている。スパイラル搬送路２３の途中の左側へ延びている部分には、スパイラル機構３０が設けられている。スパイラル機構３０は、投票用紙Ｈを、左側（下流側）へ搬送しながら、左右方向に延びる仮想軸（図示せず）を中心に１８０°反転させる（白抜き矢印参照）機構である。スパイラル機構３０およびスパイラル搬送路２３は、特許第４１１９６６４号公報において表裏反転装置として詳しく説明されている。
【００４９】
また、本体搬送路１８（第１搬送路１９、第２搬送路２０）においてスイッチバック搬送路２１、リジェクト搬送路２２およびスパイラル搬送路２３が分岐する位置には、投票用紙Ｈの搬送先を切り替えるための切換部材（図３における三角部分）３３が設けられている。切換部材３３は、図示しないソレノイドに駆動されることによって姿勢を変え、これによって、本体搬送路１８を流れる投票用紙Ｈの搬送先を、本体搬送路１８（第１搬送路１９、第２搬送路２０）のままとしたり、スイッチバック搬送路２１、リジェクト搬送路２２およびスパイラル搬送路２３のいずれかに切り替えたりすることができる。
【００５０】
スタッカユニット１１において、左寄りの位置には、複数（ここでは８つ）のスタッカ３４（収納部）が上下に並んだ状態で設けられている。各スタッカ３４は、ボックス状をなしており、正面側に取出口３５を有していて、取出口３５からスタッカ３４の内部空間が正面側へ露出されている（図１参照）。各スタッカ３４には、原則として、候補名（候補者名や政党名）が割り振られていて、各スタッカ３４には、分類された投票用紙Ｈが積層状態で収納される。
【００５１】
この実施形態において、各スタッカ３４における投票用紙Ｈの最大収納枚数は、１３０枚であるが、都合に応じて、スタッカ３４に収納できる投票用紙Ｈの上限枚数を所定のバッチ枚数に設定できる。各スタッカ３４に投票用紙Ｈをバッチ枚数ずつ収納する運用を、「バッチ運用」ということにする。バッチ運用の場合、一候補の投票用紙Ｈだけがバッチ枚数ずつまとめられる。このバッチ枚数は、１００枚（５０枚でもよい）といった区切りの良い（わかりやすい）枚数になっているので、バッチ枚数毎の投票用紙Ｈの束の数を数えれば、投票用紙Ｈの全数（束の数にバッチ枚数Ｓを乗じて得られた数）を速やかに把握できる。
【００５２】
ここで、図２を参照して、スタッカユニット１１の前側面における各スタッカ３４の左隣には、ＬＥＤ等で構成された表示ランプ３６が設けられている。つまり、表示ランプ３６は、スタッカ３４毎に設けられている。各スタッカ３４には、内部における投票用紙Ｈの有無を検知するセンサ６５（図４参照）が設けられている。
各表示ランプ３６は、対応する（右隣）のスタッカ３４に何も入っていない待機状態（センサ６５が投票用紙Ｈを検知していない状態）では消灯しており、対応するスタッカ３４に投票用紙Ｈが１枚でも収納されると（センサ６５が投票用紙Ｈを検知すると）、たとえば青色で点灯する。
【００５３】
そして、バッチ運用が無いスタッカ３４の表示ランプ３６は、投票用紙Ｈの収納枚数が最大収納枚数間近のニアフル枚数に到達すると、たとえば青色で点滅する。この場合、収納枚数が最大収納枚数に到達しても、表示ランプ３６は、青色で点滅し続ける。
一方、バッチ運用が有るスタッカ３４の表示ランプ３６は、収納枚数がバッチ枚数間近のニアフル枚数に到達すると、たとえば青色で点灯し、収納枚数がバッチ枚数に到達すると、青色で点滅する。この場合、収納枚数がニアフル枚数に到達する以前の最初の段階において０（零）から１になるとき（空のスタッカ３４に投票用紙Ｈが収納されたとき）には、表示ランプ３６は、青色以外の色で点灯するとよい。
【００５４】
また、各表示ランプ３６は、対応するスタッカ３４においてジャム等のエラーが発生すると、赤色で点滅するようになっている。エラーにおける点滅間隔は、その他の場合における点滅間隔より短くなっている。
このように、表示ランプ３６の状態によって、各スタッカ３４の状態を一目で把握できる。収納枚数が上限枚数（バッチ運用が無い場合は最大収納枚数であり、バッチ運用が有る場合はバッチ枚数）に到達したスタッカ３４では、内部の投票用紙Ｈは、係員によって速やかに取り出されることになっている。そのため、バッチ運用の有無を問わず、青色点滅の表示ランプ３６を見た係員は、その表示ランプ３６に対応するスタッカ３４の投票用紙Ｈを取り出す必要があることを速やかに把握できる。また、バッチ運用有りの場合、青色点灯の表示ランプ３６を見た係員は、その表示ランプ３６に対応するスタッカ３４の投票用紙Ｈの収納枚数がもうすぐバッチ枚数に到達しそうであることを速やかに把握できる。
【００５５】
また、スタッカユニット１１の正面（前側面）の右寄りの領域（各スタッカ３４より右側の領域）には、縦長矩形状の扉６４が設けられている。扉６４は、その右端部で上下に延びる回動軸を中心として回動することによって開閉可能である。図２では、扉６４が閉じた状態が示されている。扉６４の左端部に設けられた取っ手６４Ａに手を掛けて手前に引くと、扉６４を開くことができる。扉６４を開くと、スタッカユニット１１の右寄りの領域における内部空間が正面側に露出される。
【００５６】
図３に戻り、スタッカユニット１１には、本体ユニット１０の第２搬送路２０（本体搬送路１８）を通過し終えた投票用紙Ｈを受け取って搬送するスタッカ搬送路３７が形成されている。スタッカ搬送路３７は、横搬送路３８と、縦搬送路３９と、分岐路４０とを含んでいる。
横搬送路３８は、スタッカユニット１１内において、スタッカユニット１１の右側面で第２搬送路２０（本体搬送路１８の下流側端１８Ａ）と連続する位置からスタッカユニット１１の左側面まで、左側へ略水平に延びている。
【００５７】
縦搬送路３９は、スタッカユニット１１内において、横搬送路３８から分岐し、８つのスタッカ３４よりも右側の位置で下方へ略垂直に延びている。縦搬送路３９の下端は、スタッカユニット１１の底面の手前（上方）にある。各スタッカユニット１１内において、上下８つのスタッカ３４は、共通の縦搬送路３９に沿って略垂直に配置されている。
分岐路４０は、スタッカ３４と同数（ここでは８本）設けられており、これらの分岐路４０は、等間隔で上下に並んでいる。最下端以外の７本の分岐路４０は、縦搬送路３９から分岐し、上下方向で同じ位置にあるスタッカ３４に対して右側から接続されている。最下端の分岐路４０は、縦搬送路３９の下端から連続し、最下端のスタッカ３４に対して右側から接続されている。
【００５８】
また、スタッカユニット１１内には、スタッカ搬送路３７に臨む複数の位置に、モータ（図示せず）に回転駆動される大小様々の搬送ローラ４１（搬送ベルトでもよい）が設けられている。
また、スタッカ搬送路３７において、縦搬送路３９が横搬送路３８から分岐する位置や、各分岐路４０が縦搬送路３９から分岐する位置には、前述した切換部材３３と同様の切換部材４２が設けられている。
【００５９】
第２搬送路２０からスタッカ搬送路３７に受け渡された投票用紙Ｈは、回転する各搬送ローラ４１によって、横搬送路３８を搬送される。投票用紙Ｈは、そのまま横搬送路３８を搬送されたり、縦搬送路３９に搬送された後に、いずれかの分岐路４０を流れて、この分岐路４０が接続されたスタッカ３４に収納されたりする。
また、図３に示すように、本体ユニット１０に連結されたスタッカユニット１１に対して、増設のスタッカユニット１１が連結されている場合には、横搬送路３８を通過した投票用紙は、増設のスタッカユニット１１の横搬送路３８に受け渡されて、そのまま横搬送路３８を流れたり、増設のスタッカユニット１１のスタッカ３４に収納されたりする。
【００６０】
次に、ホッパー１６にセットされた投票用紙Ｈが投票用紙分類機３内で流れる様子を説明する。ここで、投票用紙Ｈにおいて、候補名（ここでは、「Ｇ」という候補名とする）が記入される面を表面といい、当該表面とは反対側の面を裏面ということにする。
ホッパー１６の底面１６Ａには、投票用紙Ｈが積層状態でセットされる。このとき、投票用紙Ｈは、長手方向が前後方向に沿うようにセットされるが、表裏や候補名の向きを揃えることなくセットされる。図３の符号Ｈ１を付した投票用紙Ｈのように、表面が上を向いていて、当該表面の候補名が後側（図３の奥側）から前側（図３の手前側）へ記入されている姿勢が、その後の姿勢変換が不要となる正しい姿勢である。
【００６１】
底面１６Ａに投票用紙Ｈがセットされた後、係員が操作ボタン７（図１参照）を押すと、搬送ローラ２４および取込ローラ２５が回転し、投票用紙Ｈが、底面１６Ａに近い側から順に、第１搬送路１９に１枚ずつ取り込まれる。このときの投票用紙Ｈの搬送方向は、投票用紙Ｈの短手方向に沿っている。第１搬送路１９を流れる投票用紙Ｈは、第１読取センサ３１を通過する際に、上面の画像が第１読取センサ３１によって読み取られ、第２読取センサ３２を通過する際に、下面の画像が第２読取センサ３２によって読み取られる。つまり、第１読取センサ３１および第２読取センサ３２によって、（ホッパー１６にセットされてから取り込まれた）投票用紙Ｈの表裏の両面の画像が１枚ずつ順次読み取られる。読み取られた画像は、制御ＰＣ４（図１参照）に送信される。
【００６２】
制御ＰＣ４（厳密には、後述する制御部７０（図４参照））は、受信した画像（投票用紙Ｈの記載内容）を認識し、当該画像が読み取られた投票用紙Ｈが、前述した確定票であるか否かや、確定票でない場合にはいずれの未確定票（白票、無効票、他事記載票、疑問票、按分票またはリジェクト票）であるのかを識別する。つまり、制御ＰＣ４は、確定票と未確定票とを識別するだけでなく、白票、無効票、他事記載票、疑問票、按分票およびリジェクト票のうち少なくとも１つ以上（ここでは全て）を未確定票に識別する。
【００６３】
投票用紙Ｈから読み取られた上面の画像および下面の画像のいずれか一方に、今回の選挙の候補名が１つだけ含まれていれば、制御ＰＣ４は、当該投票用紙Ｈが確定票であると識別する。制御ＰＣ４は、候補名で想定される複数パターンの記入例（字体や書体等）を候補毎に記憶しているので、記入された候補名において文字の大きさや綺麗さ等に、ある程度のばらつきがあっても、所定の候補名が記入されているのか否かを識別できる。
【００６４】
投票用紙Ｈから読み取られた上面の画像および下面の画像のいずれにも、候補名等が含まれていなければ（候補名等の記載がされていなければ）、制御ＰＣ４は、当該投票用紙Ｈが白票であると識別する。投票用紙Ｈから読み取られた上面の画像および下面の画像のいずれかに、選挙の対象となる候補名以外の候補者氏名や政党名の記載（投票用紙Ｈに元々印刷されている事項を除く）が含まれていれば、制御ＰＣ４は、当該投票用紙Ｈが無効票であると識別する。投票用紙Ｈから読み取られた上面の画像および下面の画像のいずれかに、選挙の対象となる候補者名や政党名が記載されている場合であっても、それらの記載以外の余計な事項が含まれていれば、制御ＰＣ４は、当該投票用紙Ｈが他事記載票であると識別する。投票用紙Ｈから読み取られた上面の画像および下面の画像のいずれか一方に、何らかの記載事項が含まれているもののその記載内容が識別不能であれば、制御ＰＣ４は、当該投票用紙Ｈが疑問票であると識別する。投票用紙Ｈから読み取られた上面の画像および下面の画像のいずれか一方に、複数の候補名のいずれかと特定できないような紛らわしい名前が含まれていれば、制御ＰＣ４は、当該投票用紙Ｈ（複数の候補が該当する記載の投票用紙Ｈ）が按分票であると識別する。
【００６５】
また、第１読取センサ３１および第２読取センサ３２のうち、ホッパー１６に近い方の読取センサ（ここでは第１読取センサ３１）は、通過しようとする投票用紙Ｈの先端縁や後端縁（エッジ）を読み取ることによって、投票用紙Ｈが斜行状態で搬送されていることを検出したり、投票用紙Ｈが異常接近状態で搬送されていることを検出したりすることができる。
【００６６】
正常であれば投票用紙Ｈの先端縁は、横一直線となって読取センサ（ここでは第１読取センサ３１）を同時に通過するはずなのに、先端縁が当該読取センサを通過するのに時間がかかると、投票用紙Ｈは、ホッパー１６から本体搬送路１８に斜めに取り込まれて斜行状態で搬送されていることになる。
また、先行する投票用紙Ｈの後端縁と後続の投票用紙Ｈの先端縁との間隔が所定以下である場合には、先行する投票用紙Ｈと後続の投票用紙Ｈとが「異常接近」した状態で搬送されていると判断される。「異常接近」も搬送不良の一種で、異常接近した投票用紙Ｈは、搬送不良票としてリジェクトされる。
【００６７】
一方、複数枚の投票用紙Ｈが重なって繰り出される「重送状態」は、前記読取センサとは別に設けられた重送検知センサ（図示せず）によって検出される。「重送状態」も搬送不良の一種で、重送状態の投票用紙Ｈは、搬送不良票としてリジェクトされる。
当該読取センサ（前述した重送検知センサも含む）は、投票用紙Ｈが斜行状態や異常接近状態や重送状態で搬送されていること（投票用紙Ｈの取り込み不具合が生じたこと）を検出すると、その旨を制御ＰＣ４に送信する一方で、当該投票用紙Ｈの画像を読み取らない。制御ＰＣ４は、当該旨を受信すると、そのときに当該読取センサを通過している投票用紙Ｈがリジェクト票であると識別する。投票用紙Ｈの取り込み不具合には、斜行状態や異常接近状態や重送状態以外に、斜行状態と異常接近状態と重送状態が同時に起きている状態等がある。なお、投票用紙Ｈの厚みや重さを検出することによって重送状態を検出してもよい。ここでは、投票用紙Ｈの画像を読み取る読取センサによって投票用紙Ｈの斜行状態や異常接近状態を検出する方式で説明したが、読取センサとは別に、斜行検知センサや異常接近検知センサを設けるようにしてもよい。
【００６８】
また、投票用紙分類機３では、運転中にエラー等で急停止が起きると、エラー解除後の再起動の際に空回し運転が行われるようになっている。空回し運転中に、ホッパー１６に近い方の読取センサ（ここでは第１読取センサ３１）は、投票用紙Ｈを検知すると、その検知結果（投票用紙Ｈを検知した旨）を制御ＰＣ４に送信する一方で、当該投票用紙Ｈの画像を読み取らない。制御ＰＣ４は、当該検知結果を受信すると、そのときに当該読取センサを通過している投票用紙Ｈがリジェクト票であると識別する。
【００６９】
このように、制御ＰＣ４は、第１読取センサ３１および第２読取センサ３２から受信した内容（画像である場合もあれば、画像でなく、取り込み不具合が生じた旨の信号や、空回し運転中の検知結果である場合もある）に基づいて、この内容に対応する投票用紙Ｈの種類（確定票か否か、確定票でない場合にはどういう種類の未確定票か）を識別する。そして、第１読取センサ３１および第２読取センサ３２は、前記内容を、ホッパー１６から送り込まれたものから１枚分ずつ、順次、制御ＰＣ４に送信するので、制御ＰＣ４は、ホッパー１６にセットされた投票用紙Ｈを１枚ずつ順次識別することになる。第１読取センサ３１および第２読取センサ３２を通って制御ＰＣ４によって識別された投票用紙Ｈは、本体搬送路１８やスタッカ搬送路３７によって、スタッカ３４やリジェクトトレイ１７へと搬送されることになる。ここで、スタッカ３４まで搬送される投票用紙Ｈは、本体搬送路１８によって下流側端１８Ａまで搬送された後に、下流側端１８Ａから繰り出されて、スタッカ搬送路３７経由で所定のスタッカ３４まで搬送され、当該スタッカ３４に収納される。
【００７０】
また、制御ＰＣ４は、投票用紙Ｈを順次識別するのに応じて、同じ候補名が記入された確定票、各種類の未確定票のそれぞれをカウントすることができる。カウント結果（開票結果）は、制御ＰＣ４に設けられた表示部８に表示されたり、プリンター５によって紙出力されたりする（図１参照）。
また、制御ＰＣ４は、第１読取センサ３１および第２読取センサ３２から受信した２種類の画像（前述した上面および下面の画像）に基づいて、当該画面が読み取られた投票用紙Ｈの姿勢を識別することもできる。具体的には、前述した正しい姿勢の投票用紙Ｈ（投票用紙Ｈ１参照）を基準とすると、上面の画像に、候補名が後側から前側へ記入されて、下面の画像に候補名が記載されていない場合、制御ＰＣ４は、投票用紙Ｈが正しい姿勢にあることを識別する。逆に、制御ＰＣ４は、投票用紙Ｈが正しい姿勢にないことを識別すれば、どのようにすれば投票用紙Ｈを正しい姿勢にすることができるのかを判断することができる。つまり、制御ＰＣ４は、投票用紙Ｈを長手方向の軸回りに反転（１８０°回転）させたり、短手方向の軸回りに反転させたり、両方の反転を行ったりするうちのいずれをすれば、投票用紙Ｈを正しい姿勢にすることができるのかを判断する。
【００７１】
以下では、識別を受けた投票用紙Ｈが確定票であることを前提にして説明する（図３参照）。
前述したように正しい姿勢でホッパー１６にセットされた投票用紙Ｈ（Ｈ１）は、スイッチバック搬送路２１やリジェクト搬送路２２やスパイラル搬送路２３に分岐することなく、本体搬送路１８をひたすら流れて、スタッカユニット１１（増設されたスタッカユニット１１も含む）のスタッカ搬送路３７に受け渡され、前述したようにいずれかのスタッカ３４（対応する候補名のスタッカ３４）に収納される。スタッカ３４に収納された状態の投票用紙Ｈ（符号Ｈ２を付したものを参照）は、ホッパー１６にセットされたときと同様に（投票用紙Ｈ１）、正しい姿勢でスタッカ３４に収納されている。
【００７２】
正しい姿勢でホッパー１６にセットされた投票用紙Ｈ（Ｈ１）がスイッチバック搬送路２１に分岐した場合には、反転空間２６に進入して奥部分のガイド部材２９に当接した後に、時計回りに回転する叩きローラ２７の叩きゴム２７Ａによって上向きに叩き付けられて搬送ベルト２８に押し付けられる。これにより、投票用紙Ｈは、反時計回りに周回移動する搬送ベルト２８によって反転空間２６から右側へスイッチバック搬送される。このとき、投票用紙Ｈは、符号Ｈ３で示すように、反転空間２６に進入するときと逆向きに搬送される。スイッチバック搬送された投票用紙Ｈは、その後は本体搬送路１８をひたすら流れてスタッカ３４に収納される。スタッカ３４に収納された状態の投票用紙Ｈ（符号Ｈ４を付したものを参照）は、ホッパー１６にセットされたときとは異なり（投票用紙Ｈ１）、投票用紙Ｈ１が長手方向の軸回りに反転したときの姿勢でスタッカ３４に収納されている。このように、スイッチバック搬送路２１は、（本体搬送路１８を搬送される）投票用紙Ｈの表裏および搬送方向（短手方向における向き）を反転させることができる。
【００７３】
正しい姿勢でホッパー１６にセットされた投票用紙Ｈ（Ｈ１）が、本体搬送路１８をひたすら流れて第２搬送路２０とスパイラル搬送路２３との分岐位置の手前（上流側）に到達したとき、右側から見た当該投票用紙Ｈには、符号Ｈ５が付されている。投票用紙Ｈ５が引き続き本体搬送路１８をひたすら流れてスタッカ３４に収納されると、符号Ｈ２を付すように、ホッパー１６にセットされたときと同様に（投票用紙Ｈ１）、正しい姿勢でスタッカ３４に収納される。
【００７４】
一方、投票用紙Ｈ５は、スパイラル搬送路２３に分岐すると、スパイラル機構３０によって、自身の短手方向の軸回りに反転し、その後、本体搬送路１８に合流する。合流後に右側から見た当該投票用紙Ｈには、符号Ｈ６が付されている。投票用紙Ｈ６では、投票用紙Ｈ５と比べて表裏が逆であって、候補名「Ｇ」の向きも逆になっている。その後、投票用紙Ｈ６が本体搬送路１８を流れてスタッカ３４に収納されると、符号Ｈ７を付すように、ホッパー１６にセットされたときは表裏および候補名「Ｇ」の向きの両方が逆になった姿勢でスタッカ３４に収納される。このように、スパイラル搬送路２３は、（本体搬送路１８を搬送される）投票用紙Ｈの表裏を少なくとも反転させることができる。
【００７５】
また、スイッチバック搬送路２１でスイッチバック搬送された投票用紙Ｈ３が、さらにスパイラル搬送路２３を通ってから、スタッカ３４に収納されると、符号Ｈ８を付すように、ホッパー１６にセットされたときは候補名「Ｇ」の向きだけが逆になった姿勢でスタッカ３４に収納される。
このように、この投票用紙分類機３では、ホッパー１６にセットされた投票用紙Ｈ１を、そのままの姿勢（投票用紙Ｈ２参照）でスタッカ３４に収納したり、スイッチバック搬送路２１およびスパイラル搬送路２３の両方または一方に通すことで、ホッパー１６にセットされたときとは異なる３パターンの姿勢（投票用紙Ｈ４，７，８参照）でスタッカ３４に収納したりすることができる。
【００７６】
これら４つの搬送パターンを使い分けることにより、向きを揃えられることなくホッパー１６にセットされた投票用紙Ｈを、向きを揃えてスタッカ３４に収納することができる。以下では、このように投票用紙Ｈの向きを揃えることを、「向き修正処理」ということにする。
また、前述した未確定票のうち、定められた種類の未確定票（たとえば、リジェクト票）は、第１搬送路１９においてリジェクト搬送路２２に分岐して、リジェクトトレイ１７に搬送される。
【００７７】
以上が投票用紙Ｈの主な流れである。
次に、投票用紙分類機３における電気的構成について説明する。
ここで、本体ユニット１０の内部構成は、第１ブロック１２に備えられた繰出部４５（繰出手段）、画像読取部４６、搬送部４７、スイッチバック反転部４８およびリジェクト部４９のそれぞれと、第２ブロック１３に備えられたスパイラル反転部５０とに細分化されている。また、スタッカユニット１１の内部構成は、横搬送部５１および縦搬送部５２に細分化されている。
【００７８】
繰出部４５は、ホッパー１６、その周囲の搬送ローラ２４および取込ローラ２５（これらのローラを回転させるモータも含む）、ならびに、第１搬送路１９においてホッパー１６につながった一部を含んでいる。画像読取部４６は、第１読取センサ３１、第２読取センサ３２、これらのセンサの周囲の搬送ローラ２４（搬送ローラ２４を回転させるモータも含む）、ならびに、第１搬送路１９において第１読取センサ３１および第２読取センサ３２の周囲の一部を含んでいる。搬送部４７は、第１搬送路１９において画像読取部４６から続く部分と、その周囲の搬送ローラ２４（搬送ローラ２４を回転させるモータも含む）を含んでいる。
【００７９】
スイッチバック反転部４８は、第１搬送路１９において搬送部４７から続く部分の全てと、スイッチバック搬送路２１と、周囲の搬送ローラ２４、叩きローラ２７および搬送ベルト２８（これらのローラおよびベルトを動かすモータも含む）と、ガイド部材２９とを含んでいる。スイッチバック反転部４８は、さらに、スイッチバック搬送路２１およびリジェクト搬送路２２のそれぞれと第１搬送路１９との分岐部分における切換部材３３（切換部材３３を動かすソレノイドも含む）も含んでいる。そのため、スイッチバック反転部４８は、本体搬送路１８の一部（第１搬送路１９およびスイッチバック搬送路２１）に配置されていることになる。
【００８０】
リジェクト部４９は、リジェクトトレイ１７と、リジェクト搬送路２２と、リジェクト搬送路２２の周囲の搬送ローラ２４（搬送ローラ２４を回転させるモータも含む）とを含んでいる。
第１ブロック１２において、繰出部４５、画像読取部４６、搬送部４７、スイッチバック反転部４８およびリジェクト部４９のそれぞれは、個別に分割可能であり、メンテナンス時等には取り外される。
【００８１】
スパイラル反転部５０は、第２搬送路２０と、スパイラル搬送路２３と、これらの搬送路の周囲の搬送ローラ２４（搬送ローラ２４を回転させるモータも含む）と、スパイラル機構３０と、第２搬送路２０とスパイラル搬送路２３との分岐部分における切換部材３３（切換部材３３を動かすソレノイドも含む）とを含んでいる。そのため、スパイラル反転部５０は、本体搬送路１８の一部（第２搬送路２０およびスパイラル搬送路２３）に配置されていることになる。
【００８２】
横搬送部５１は、横搬送路３８と、縦搬送路３９において横搬送路３８に接続された部分と、横搬送路３８の周囲の搬送ローラ４１（搬送ローラ４１を回転させるモータも含む）と、縦搬送路３９と横搬送路３８との分岐部分における切換部材４２（切換部材４２を動かすソレノイドも含む）とを含んでいる。
縦搬送部５２は、縦搬送路３９と、各分岐路４０と、縦搬送路３９と各分岐路４０との分岐部分における切換部材４２（切換部材４２を動かすソレノイドも含む）と、縦搬送路３９および各分岐路４０の周囲の搬送ローラ４１（搬送ローラ４１を回転させるモータも含む）とを含んでいる。
【００８３】
図４は、投票用紙分類システム１の電気的な構成を示すブロック図である。
図４を参照して、投票用紙分類機３の本体ユニット１０には、マイクロコンピュータ等で構成された全体制御部５５が設けられている。全体制御部５５は、繰出部４５、画像読取部４６、搬送部４７、スイッチバック反転部４８、リジェクト部４９およびスパイラル反転部５０のそれぞれの電気部品（前述したモータやソレノイドや第１読取センサ３１や第２読取センサ３２）に対して電気的に接続されている。また、全体制御部５５には、前述した操作ボタン７が電気的に接続されている。本体ユニット１０には、ＵＳＢハブ５６といったインターフェースが設けられていて、全体制御部５５および画像読取部４６は、ＵＳＢハブ５６を介して制御ＰＣ４と通信可能につながっている。また、全体制御部５５には、前述した各表示ランプ３６（図２参照）が電気的に接続されており、全体制御部５５は、各表示ランプ３６の点灯パターンを制御する。
【００８４】
ここで、制御ＰＣ４には、マイクロコンピュータ等で構成された制御部７０が設けられている。制御ＰＣ４は、制御部７０および前述した表示部８以外に、キーボード等で構成された操作部９（図１も参照）と、種々の情報を記憶するための記憶部７１とを備えている。制御部７０には、表示部８、操作部９および記憶部７１のそれぞれが電気的に接続されている。また、制御ＰＣ４では、制御部７０が、ＵＳＢハブ５６を介して、投票用紙分類機３の全体制御部５５および画像読取部４６と通信可能に接続されている。
【００８５】
各スタッカユニット１１には、マイクロコンピュータ等で構成されたスタッカ制御部５７が設けられていて、スタッカ制御部５７は、横搬送部５１および縦搬送部５２のそれぞれの電気部品（前述したモータやソレノイド）に対して電気的に接続されている。スタッカ制御部５７には、スタッカユニット１１の各スタッカ３４における投票用紙Ｈの有無を検知する（前述した）センサ６５が電気的に接続されている。また、各スタッカユニット１１のスタッカ制御部５７は、全体制御部５５と通信可能に接続されている。各スタッカユニット１１は、直接または他のスタッカユニット１１を経由して本体ユニット１０と通信することにより、自機（自分）が（本体ユニット１０側から）何番目に接続されたスタッカユニット１１であるかを判定し、記憶することができる。
【００８６】
また、本体ユニット１０には、プラグ５８経由で外部から電力を受ける電源装置５９が設けられていて、電源装置５９から、全体制御部５５、繰出部４５、画像読取部４６、搬送部４７、スイッチバック反転部４８、リジェクト部４９およびスパイラル反転部５０のそれぞれに対して電力が供給される。また、各スタッカユニット１１は、上流側（本体ユニット１０に近い側）のユニット（本体ユニット１０やスタッカユニット１１）から電力を受けるための中継用ケーブル８５が接続される受け側の電源用コネクタ８６と、下流側（本体ユニット１０から遠い側）のスタッカユニット１１に電力を供給する送り側の電源用コネクタ８７とを有する。また、通信ラインについても、電力ラインと同様に、各スタッカユニット１１には、受け側の通信用コネクタ８８と、送り側の通信用コネクタ８９とが設けられている。また、スタッカユニット１１を増設した場合、電源装置５９の電力は、本体ユニット１０に直列で連結された４台のスタッカユニット１１（図４では２台目および３台目のスタッカユニット１１の図示を省略している）にも供給できるようになっていて、電源装置５９から、各スタッカユニット１１におけるスタッカ制御部５７、横搬送部５１および縦搬送部５２のそれぞれに対して電力が供給される。なお、この実施形態では、５台目以降のスタッカユニット１１（図４では５台目および６台目のスタッカユニット１１を図示している）が増設される場合には、プラグ６０経由で外部から電力を受ける増設用電源装置６１を５台目のスタッカユニット１１に接続することにより、増設用電源装置６１から５台目以降のスタッカユニット１１に対して電力を供給するようになっている。また、４台目と５台目のスタッカユニット１１のスタッカ制御部５７同士は、増設用電源装置６１経由で通信可能になっている。
【００８７】
また、全てのスタッカユニット１１は、同じ構成になっており、受け側の電源用コネクタ８６には、上流側のユニットとの中継用ケーブル８５または増設用電源装置６１のケーブル９０が接続される。この例の場合には、増設用電源装置６１のケーブル９０が接続されるのは５番目のスタッカユニット１１に決まっていることから、５番目のスタッカユニット１１では、受け側の電源用コネクタ８６に接続されたケーブルが増設用電源装置６１のケーブル９０であるか否かを判定し、間違っていれば警告を発する。一方、５番目以外のスタッカユニット１１では、増設用電源装置６１のケーブル９０が接続された場合に警告を発する。警告の方法としては、警告を発するスタッカユニット１１の表示ランプ３６（図１参照）を赤色点滅させたり、本体ユニット１０や制御ＰＣ４の表示部８に警告画面を表示させたりする。この機能により、全てのスタッカユニット１１が同じ構成になっていても、増設用電源装置６１のケーブル９０が誤ったスタッカユニット１１に接続されることで電力不足等が発生する事態を回避できる。
【００８８】
停止状態の投票用紙分類システム１において、前述したように係員が操作ボタン７を押すと、投票用紙分類機３の全体制御部５５が、繰出部４５、画像読取部４６、搬送部４７、スイッチバック反転部４８、リジェクト部４９およびスパイラル反転部５０のモータを駆動させ、搬送ローラ２４や取込ローラ２５を回転させたリ、搬送ベルト２８を周回移動させたりする。これにより、繰出部４５によって、ホッパー１６にセットされた投票用紙Ｈが１枚ずつ順次繰り出されて本体搬送路１８内に取り込まれ、本体搬送路１８内を下流側へ搬送される。この際、画像読取部４６の第１読取センサ３１や第２読取センサ３２が、繰出部４５によって取り込まれて送られてくる投票用紙Ｈの表裏の内容（画像）を読み取って制御ＰＣ４に送信し、制御ＰＣ４の制御部７０は、第１読取センサ３１や第２読取センサ３２から受信した画像（前述したように画像でない場合もある）を認識してから、当該投票用紙Ｈの種類を識別するとともに、当該投票用紙Ｈの姿勢を識別する。制御部７０は、識別の結果、識別した投票用紙Ｈの搬送先（当該投票用紙Ｈを収納するリジェクトトレイ１７またはスタッカ３４）を決定する。
【００８９】
制御ＰＣ４の制御部７０は、決定した搬送先を投票用紙分類機３の全体制御部５５に送信する。このとき、制御部７０は、当該投票用紙Ｈの姿勢を変える必要があれば、どのようにするのか（スイッチバック搬送路２１およびスパイラル搬送路２３の一方または両方を通過させるか）の指示を全体制御部５５に送信する。全体制御部５５は、受信した内容に基づいて、決定された搬送先へ向かうように前述したソレノイドを制御して切換部材３３，４２の向きを切り換えて、当該投票用紙Ｈを、決定された搬送先（スタッカ３４やリジェクトトレイ１７）まで搬送する。なお、切換部材４２の向きを切り換えは、全体制御部５５から指示を受けたスタッカ制御部５７が行う。また、全体制御部５５は、必要に応じて、切換部材３３の向きを切り換え、搬送途中の当該投票用紙Ｈをスイッチバック搬送路２１およびスパイラル搬送路２３の一方または両方を通過させて、当該投票用紙Ｈの姿勢を変える。
【００９０】
そして、この投票用紙分類機３では、１台で、異なる様式の投票用紙Ｈを、様式毎に分類できるとともに、各様式の投票用紙を、種類（確定票、および、いずれかの未確定票のどれか）毎に分類できる。
ここで、投票用紙Ｈには、様々な様式が存在する。ここでの「様式」とは、投票用紙Ｈの用紙サイズ、色（地色）、記入枠の態様（記入枠の位置、大きさ、数等）、プレ印刷（記入枠以外で投票用紙に予め印刷されたもの）の内容（プレ印刷の記載内容、記載位置、文字のフォントや色等）のことである。投票用紙Ｈの裏面（記入枠が印刷された側とは反対側の面）に、プレ印刷がなされていてば、裏面のプレ印刷の内容も、ここでの「様式」に含まれる。また、プレ印刷の有無も、投票用紙Ｈの「様式」に含まれる。
【００９１】
図５には、衆議院（衆院）選挙の投票用紙Ｈを模式的に示している。衆議院選挙の投票用紙Ｈの場合、選挙区（小選挙区）用の投票用紙Ｈａ（図５（ａ）参照）と、比例区用（比例代表用）の投票用紙Ｈｂ（図５（ｂ）参照）とでは、様式が異なっている。様式の違いとして、具体的には、投票用紙Ｈの地色（選挙区用の投票用紙Ｈａは全体が着色されている）や、記入枠の大きさ（比例区用の投票用紙Ｈｂの方が縦に小さい）や、プレ印刷の内容（見出しや注意書きの内容）の違いが挙げられる。
【００９２】
図６には、衆議院選挙の選挙区用の投票用紙Ｈａ（図６（ａ）参照）と、衆議院の総選挙の際に同時開催される最高裁判所裁判官の国民審査の投票用紙Ｈｃ（図６（ｂ）参照）とを模式的に示している。衆議院選挙の選挙区用の投票用紙Ｈａと、国民審査の投票用紙Ｈｃとでは、様式が異なっている。様式の違いとして、具体的には、投票用紙Ｈの用紙サイズ（図６では国民審査の投票用紙Ｈｃの方が大きい）や地色（選挙区用の投票用紙Ｈａは全体が着色されている）や、記入枠の形式、大きさおよび数（国民審査の投票用紙Ｈｃの方が記入枠が小さいものの、数が多い）や、プレ印刷の内容（見出しや注意書きの内容）の違いが挙げられる。
【００９３】
図７には、参議院（参院）選挙の投票用紙Ｈを模式的に示している。参議院選挙の投票用紙Ｈの場合、選挙区（図７（ａ)の場合は、一例として東京都）用の投票用紙Ｈｄ（図７（ａ）参照）と、比例区用の投票用紙Ｈｅ（図７（ｂ）参照）とでは、様式が異なっている。様式の違いとして、具体的には、投票用紙Ｈの地色（選挙区用の投票用紙Ｈｄは全体が着色されている）や、記入枠の大きさ（比例区用の投票用紙Ｈｅの方が縦に小さい）や、プレ印刷の内容（見出しや注意書きの内容）の違いが挙げられる。
【００９４】
図５〜図７のそれぞれでは、投票用紙Ｈの様式の種類が、選挙の種類（衆議院選挙や参議院選挙における選挙区や比例区等）に対応していることがわかる。この場合、この投票用紙分類機３では、異なる選挙の投票用紙Ｈが混在したままホッパー１６にセットされても、これらの投票用紙Ｈを、選挙別に、投票用紙Ｈの種類毎に細分化できる。
図８には、同じ選挙（たとえば町長選挙）の当日用の投票用紙Ｈｆ（図８（ａ）参照）と期日前投票用の投票用紙Ｈｇ（図８（ｂ）参照）とを模式的に示している。たとえば、当日用の投票用紙Ｈｆは、予め印刷された各候補名の上に設けられた記入枠のうち、投票したい候補の記入枠内に○「まる」を記入する記号式の投票用紙Ｈである。一方で、同じ選挙なのに、期日前投票用の投票用紙Ｈｇは、投票したい候補名を筆記で記入する自書式の投票用紙Ｈである。当日用の投票用紙Ｈｆと、期日前投票用の投票用紙Ｈｇとでは、様式が異なっている。様式の違いとして、具体的には、投票用紙Ｈの用紙サイズ（図８では当日用の投票用紙Ｈｆの方が大きい）や地色（期日前投票用の投票用紙Ｈｇは全体が着色されている）や、記入枠の形式、大きさおよび数（当日用の投票用紙Ｈｆの方が記入枠が小さいものの、数が多い）や、プレ印刷の内容（見出しや注意書きの内容等）の違いが挙げられる。
【００９５】
各投票用紙Ｈの様式についての具体的内容（用紙サイズや、色、記入枠の態様等および他の様式との違い）は、様式情報として、制御ＰＣ４の記憶部７１（図４参照）に記憶されている。また、制御ＰＣ４の制御部７０は、第１読取センサ３１および第２読取センサ３２が投票用紙Ｈの表裏の表面から読み取った画像と前記様式情報と基づいて、当該投票用紙Ｈの様式を判別することができる。ここで、第１読取センサ３１、第２読取センサ３２および制御部７０（後述する制御部１００も含む）は、繰出部４５によって繰り出された投票用紙Ｈの様式を判別する判別手段を構成しているとともに、当該投票用紙Ｈ（詳しくは、有効票またはいずれの未確定票かという種類）を識別する識別手段を構成している。判別手段および識別手段は、投票用紙Ｈの様式を判別したり、投票用紙Ｈ（投票用紙Ｈの種類）を識別したりするためのセンサである第１読取センサ３１および第２読取センサ３２を共有している。これにより、共通のセンサによって、判別手段および識別手段を簡易に構成することができる。
【００９６】
次に、異なる様式の投票用紙Ｈについての投票用紙分類機３による分類処理の一例として、衆議院選挙における選挙区用の投票用紙Ｈａ（図５（ａ）参照）および比例区用の投票用紙Ｈｂ（図５（ｂ）参照）を分類する場合を説明する。
異なる様式の投票用紙Ｈを投票用紙分類機３で処理したい場合には、係員は、制御ＰＣ４の操作部９を操作することによって、制御ＰＣ４の表示部８に、図９に示す設定画面９２を表示させる。なお、設定画面９２を構成するデータは、ＣＤやＵＳＢ等の記憶媒体に予め記憶されていて、開票所を準備する際に、制御ＰＣ４にインストールされたり、オンラインで制御ＰＣ４にダウンロードされたりする。
【００９７】
設定画面９２には、「設定画面」という見出しよりも下の領域に、主に、スタッカ数表示欄９３と、対象選挙選択欄９４と、選挙‐届出名‐グループ番号対応表９５と、グループ番号‐スタッカ番号対応表９６と、グループ番号‐表示名称対応表９７とが表示されている。
スタッカ数表示欄９３には、現時点の投票用紙分類機３に存在するスタッカ（リジェクトトレイ１７およびスタッカ３４）の総数が表示されている。図９の場合、スタッカは、３３個存在する。なお、以下での説明に際し、前述したリジェクトトレイ１７およびスタッカ３４のそれぞれに、別々のスタッカ番号を割り当てて、リジェクトトレイ１７およびスタッカ３４の１つ１つを区別することにする。リジェクトトレイ１７のスタッカ番号は、「０」である。また、スタッカ３４のスタッカ番号は、本体ユニット１０に近いスタッカユニット１１のスタッカ３４ほど、若い番号となり、同じスタッカユニット１１内では、上側のスタッカ３４ほど、若い番号になる。
【００９８】
対象選挙選択欄９４は、投票用紙分類機３で一度に処理できる選挙の種類と同数（ここでは、たとえば２つ）設けられている。各対象選挙選択欄９４には、投票用紙分類機３での処理の対象となる選挙（対象選挙）の種類（名称）が表示される。図９では、上側の対象選挙選択欄９４に、１つめの対象選挙（対象選挙１）として「○○区  衆院選挙区」が表示され、下側の対象選挙選択欄９４に、２つめの対象選挙（対象選挙２）として「○○区  衆院比例区」が表示されている。なお、係員は、各対象選挙選択欄９４の右隣に設けられた選択ボタン９８を操作することによって、対象選挙選択欄９４に表示される選挙の種類を変更することができる。図９の状態において、「○○区  衆院選挙区」の投票用紙Ｈａと、国民審査の投票用紙Ｈｃとを投票用紙分類機３で一度に処理できるように設定変更したい場合には、係員は、操作部９により、図９における下側の対象選挙選択欄９４の選択ボタン９８を操作して、下側の対象選挙選択欄９４に、たとえば「国民審査」と表示させればよい。
【００９９】
選挙‐届出名‐グループ番号対応表９５に関し、届出名とは、届け出られた候補者名（候補者１等）や政党名（政党１等）のことであり、未確定票については、前述したリジェクト票、疑問票、無効票、他事記載票、白票、按分票等の名称が届出名として割り当てられる。選挙‐届出名‐グループ番号対応表９５では、選挙の種類（ここでは、衆院選挙区または衆院比例区）毎に、届出名が羅列されている。選挙‐届出名‐グループ番号対応表９５では、選挙毎の各届出名に対して、グループ番号（「グループ」という見出しの下の０〜２０の数字）が割り当てられている。係員は、操作部９によっての各グループ番号の右隣の選択ボタン９８を操作することにより、各届出名に割り当てられたグループ番号を任意に変更することができる。なお、リジェクト票は、選挙の種類毎に区別されておらず、どの選挙のリジェクト票も、共通のグループ番号０（零）が割り当てられている。また、図９では、政党５〜１０のようにそれぞれの獲得票数が少ないと想定される届出名は、「その他の政党」にまとめられ、１つのグループ番号（ここでは、２０）が割り当てられている。
【０１００】
そして、係員による制御ＰＣ４の操作部９の操作により、各スタッカ番号に対して、先ほどのグループ番号を割り当てることができる。グループ番号‐スタッカ番号対応表９６では、各スタッカ番号とグループ番号との最終的な対応関係がまとめられている。図９の場合には、たとえば、スタッカ番号が０のスタッカ（リジェクトトレイ１７）には、グループ番号が「０」のリジェクト票が収納される。また、スタッカ番号が１および２のスタッカ３４には、グループ番号が６の候補者１の確定票が収納される。係員は、操作部９によって、グループ番号‐スタッカ番号対応表９６における各グループ番号（「グレープ」という見出しの下の０〜２０の数字）の右隣の選択ボタン９８を操作することにより、各スタッカ番号（「スタッカ」という見出しの下の０〜３２の数字）に対するグループ番号の割り当てを任意に変更することができる。なお、スタッカ番号が１１および２７のように、対応するグループ番号の欄に「未使用」を表示させることによって、そのスタッカ番号のスタッカに何も収納しないようにすることができる。
【０１０１】
グループ番号‐表示名称対応表９７には、選挙‐届出名‐グループ番号対応表９５およびグループ番号‐スタッカ番号対応表９６での設定結果として、各グループ番号と、表示名称（選挙‐届出名‐グループ番号対応表９５における選挙の種類と届出名とをまとめたもの）との関係が表示されている。
このように、設定画面９２では、投票用紙Ｈを様式毎（ここでは選挙毎）に分け、様式毎の投票用紙Ｈを種類毎（投票内容毎）にグループ化し（選挙‐届出名‐グループ番号対応表９５）、投票用紙Ｈを、様式別に、かつ、種類毎に収納すべき収納部（スタッカ）と関連付けることによって（グループ番号‐スタッカ番号対応表９６）、様式別かつ種類毎の投票用紙Ｈの収納先を割り当てることができる。
【０１０２】
図１０には、設定画面９２での設定結果の第１例として、各スタッカ番号と、各スタッカ番号のスタッカに収納される投票用紙の名称（前述した表示名称）との対応関係が示されている。図１０は、前述したように、１台の投票用紙分類機３で衆議院選挙における選挙区用の投票用紙Ｈａ（図５（ａ）参照）および比例区用の投票用紙Ｈｂ（図５（ｂ）参照）を分類する場合における設定結果の一例を示している。この場合、本体ユニット１０に対して、たとえば、４台のスタッカユニット１１（Ａ〜Ｄ）が、アルファベット順に連結されている。本体ユニット１０では、スタッカ番号が０のスタッカ（リジェクトトレイ１７）に、リジェクト票が収納される。そして、１台目のスタッカユニット１１Ａでは、スタッカ番号が１〜８のスタッカ３４において隣り合う２つずつに対して、選挙区の候補者１〜４のそれぞれの確定票が分けて収納される。２台目のスタッカユニット１１Ｂでは、スタッカ番号が９〜１０のスタッカ３４に対して、選挙区の候補者５の確定票が収納され、スタッカ番号が１２〜１６のスタッカ３４に対して、選挙区の疑問票、無効票、他事記載票、白票および按分票のそれぞれが、別々のスタッカ３４に分けて収納される。３台目のスタッカユニット１１Ｃでは、スタッカ番号が１７〜２４のスタッカ３４において隣り合う２つずつに対して、比例区の政党１〜４のそれぞれの確定票が分けて収納される。４台目のスタッカユニット１１Ｄでは、スタッカ番号が２５〜２６のスタッカ３４に対して、比例区のその他の政党の確定票が収納され、スタッカ番号が２８〜３２のスタッカ３４に対して、比例区の疑問票、無効票、他事記載票、白票および按分票のそれぞれが、別々のスタッカ３４に分けて収納される。なお、確定票と未確定票との間には、未使用のスタッカ３４を設けておき（図１０では、スタッカ番号が１１および２７のスタッカ３４）、これによって、確定票と未確定票との取り違えを防止している（以降の図１１〜図１３においても同様）。また、異なる選挙の投票用紙のスタッカ３４が物理的に連続しないように、ある選挙の投票用紙のスタッカ３４と、別の選挙の投票用紙のスタッカ３４との間に、未使用のスタッカ３４を設けたり、ある選挙の投票用紙と別の選挙の投票用紙とで、収納先のスタッカユニット１１を別にしたりしてもよい（以降の図１１〜図１３においても同様）。
【０１０３】
また、図１１には、設定画面９２での設定結果の第２例として、各スタッカ番号と、各スタッカ番号のスタッカに収納される投票用紙の名称（表示名称）との対応関係が示されている。図１１は、１台の投票用紙分類機３で衆議院選挙における選挙区用の投票用紙Ｈａ（図５（ａ）および図６（ａ）参照）および国民審査の投票用紙Ｈｃ（図６（ｂ）参照）を分類する場合における設定結果の一例を示している。この場合、本体ユニット１０に対して、たとえば、３台のスタッカユニット１１（Ａ〜Ｃ）が、アルファベット順に連結されている。本体ユニット１０では、スタッカ番号が０のスタッカ（リジェクトトレイ１７）に、リジェクト票が収納される。そして、１台目のスタッカユニット１１Ａでは、スタッカ番号が１〜８のスタッカ３４において隣り合う２つずつに対して、選挙区（自書式）の候補者１〜４のそれぞれの確定票が分けて収納される。２台目のスタッカユニット１１Ｂでは、スタッカ番号が９〜１０のスタッカ３４に対して、選挙区の候補者５の確定票が収納され、スタッカ番号が１２〜１６のスタッカ３４に対して、選挙区の疑問票、無効票、他事記載票、白票および按分票のそれぞれが、別々のスタッカ３４に分けて収納される。３台目のスタッカユニット１１Ｃでは、各スタッカ３４に。国民審査の投票用紙Ｈｃが収納される。ここで、国民審査の場合、過去の実績では、投票用紙Ｈｃにおけるいずれの欄にも×（バツ）が記入されていない白票が最も多い。２番目に多いのが、１つの欄にだけ×が記入された確定票（「単独票」と呼ぶことにする）である。３番目に多いのが、全ての欄に×が記入された確定票（「全記入票（ぜんきにゅうひょう）」と呼ぶことにする）である。そこで、スタッカユニット１１Ｃでは、スタッカ番号が１７〜１８のスタッカ３４に対して、票数が最も多い白票が割り当てられ、スタッカ番号が２０のスタッカ３４に対して単独票が割り当てられ、スタッカ番号が２１のスタッカ３４に対して全記入票が割り当てられる。単独票は、スタッカ番号が２０のスタッカ３４にまとめて収納されるので、その後の工程では、×が付けられた候補（裁判官）毎に分類する作業が容易になる。スタッカ番号が２１のスタッカ３４にまとめて収納された全記入票を、その後の工程において更に分類する必要は無く、×の数を全候補者について均等に加算すればよい。なお、残りの確定票（つまり、×が２つ以上の欄に記入されているものの、全部の欄に記入されてはいない確定票）は、「その他」としてまとめられ、スタッカ番号が２２の（１つの）スタッカ３４に割り当てられる。「その他」の確定票は、もともとの数が少ないので、その後の分類作業では、それほど手間はかからない。一方、スタッカ番号が２４のスタッカ３４に対して、国民審査の疑問票が収納される。そのため、疑問票は、後で、係員によって１枚ずつ確認される。
【０１０４】
図１２には、設定画面９２での設定結果の第３例として、各スタッカ番号と、各スタッカ番号のスタッカに収納される投票用紙の名称（前述した表示名称）との対応関係が示されている。図１２は、前述したように、１台の投票用紙分類機３で参議院選挙における選挙区用の投票用紙Ｈｄ（図７（ａ）参照）および比例区用の投票用紙Ｈｅ（図７（ｂ）参照）を分類する場合における設定結果の一例を示している。なお、参議院選挙の比例区用の投票用紙Ｈｅには、候補者名および政党名のどちらかを記載できる。そして、図１２の場合、本体ユニット１０に対して、たとえば、６台のスタッカユニット１１（Ａ〜Ｆ）が、アルファベット順に連結されている。本体ユニット１０では、スタッカ番号が０のスタッカ（リジェクトトレイ１７）に、リジェクト票が収納される。そして、１台目のスタッカユニット１１Ａでは、スタッカ番号が１〜８のスタッカ３４において隣り合う２つずつに対して、選挙区の候補者１〜４のそれぞれの確定票が分けて収納される。２台目のスタッカユニット１１Ｂでは、スタッカ番号が９〜１０のスタッカ３４に対して、選挙区の候補者５の確定票が収納され、スタッカ番号が１２〜１６のスタッカ３４に対して、選挙区の疑問票、無効票、他事記載票、白票および按分票のそれぞれが、別々のスタッカ３４に分けて収納される。３台目のスタッカユニット１１Ｃでは、スタッカ番号が１７〜２４のスタッカ３４に対して、比例区の政党１〜８のそれぞれの確定票が、別々のスタッカ３４に分けて収納される。４台目のスタッカユニット１１Ｄでは、スタッカ番号が２５〜３２のスタッカ３４に対して、比例区の候補者１〜７およびその他の政党のそれぞれの確定票が、別々のスタッカ３４に分けて収納される。５台目のスタッカユニット１１Ｅでは、スタッカ番号が３３〜４０のスタッカ３４に対して、比例区の候補者８〜１１のそれぞれの確定票と、比例区のあ行〜た行の候補者のそれぞれの行の確定票とが、別々のスタッカ３４に分けて収納される。６台目のスタッカユニット１１Ｆでは、スタッカ番号が４１〜４８のスタッカ３４に対して、比例区のな行〜は行の候補者のそれぞれの行の確定票と、ま〜わ行の候補者の確定票と、比例区の疑問票、無効票、他事記載票、白票および按分票のそれぞれとが、別々のスタッカ３４に分けて収納される。なお、比例区のあ行〜わ行の候補者のそれぞれの確定票は、後で、手作業または投票用紙分類機３によって、個々の候補者毎に分類される。
【０１０５】
また、図１３には、設定画面９２での設定結果の第４例として、各スタッカ番号と、各スタッカ番号のスタッカに収納される投票用紙の名称（表示名称）との対応関係が示されている。図１３は、１台の投票用紙分類機３で同じ選挙における当日投票用の記号式投票用紙Ｈｆ（図８（ａ）参照）および期日前投票用の自書式投票用紙Ｈｇ（図８（ｂ）参照）を分類する場合における設定結果の一例を示している。この場合、本体ユニット１０に対して、たとえば、３台のスタッカユニット１１（Ａ〜Ｃ）が、アルファベット順に連結されている。本体ユニット１０では、スタッカ番号が０のスタッカ（リジェクトトレイ１７）に、リジェクト票が収納される。そして、１台目のスタッカユニット１１Ａでは、スタッカ番号が１〜８のスタッカ３４において隣り合う２つずつに対して、候補者１〜４のそれぞれの記号式の（当日投票用の）確定票が分けて収納される。２台目のスタッカユニット１１Ｂでは、スタッカ番号が９〜１０のスタッカ３４に対して、記号式における疑問票および白票のそれぞれが、別々のスタッカ３４に分けて収納され、スタッカ番号が１２〜１６のスタッカ３４に対して、候補者１〜５のそれぞれの自書式の（期日前投票用の）確定票が、別々のスタッカ３４に分けて収納される。３台目のスタッカユニット１１Ｃでは、スタッカ番号が２０〜２４のスタッカ３４に対して、自書式における疑問票、無効票、他事記載票、白票および按分票のそれぞれが、別々のスタッカ３４に分けて収納される。
【０１０６】
以上のような各設定結果は、各種類の投票用紙Ｈの収納先情報として、制御ＰＣ４の記憶部７１（図４参照）に記憶されている。ここで、前述した第１〜第４例のような収納先の設定は、この投票用紙分類機３のように多数（最大で６５個＝１台のスタッカユニット１１におけるスタッカ３４が８個×８台＋リジェクトトレイ１７が１個）のスタッカを有するからこそ、可能になる。また、第１〜第４例より、複数の収納部（リジェクトトレイ１７およびスタッカ３４）が、投票用紙Ｈの様式毎に異なっていて（収納部の中身が様式毎に分かれるように区別されていて）、同一の収納部に対して様式の異なる投票用紙Ｈがまとめて収納されないようになっていることがわかる。これにより、複数の収納部のそれぞれには、細分化された各投票内容の投票用紙Ｈが、様式毎に分けて収納されるので、収納部において、同じ投票内容でも様式の異なる投票用紙Ｈを区別する際に誤ることを防止できる。
【０１０７】
次に、１台の投票用紙分類機３において、複数の様式の投票用紙Ｈ（ここでは、衆議院選挙の選挙区用の投票用紙Ｈａおよび比例区用の投票用紙Ｈｂ）をまとめて分類する処理の一例について、図１０での設定結果（各種類の投票用紙Ｈの収納先情報）ならびに図１４Ａおよび図１４Ｂのフローチャートを参照しながら説明する。
ここで、この実施形態では投票用紙分類機３と制御ＰＣ４とが別々の装置であり、投票用紙分類機３において本体ユニット１０とスタッカユニット１１とが別々の装置である。そのため、投票用紙分類システム１全体で見ると、制御ＰＣ４の制御部７０、本体ユニット１０の全体制御部５５および各スタッカユニット１１のスタッカ制御部５７のいずれかが、その時々に応じて主となって制御動作を行う。しかし、制御ＰＣ４が投票用紙分類機３に組み込まれた構成もあり得る。そこで、以下では、制御ＰＣ４が投票用紙分類機３に組み込まれているものするとともに、各スタッカ制御部５７を全体制御部５５の一部とし、さらに、制御部７０、全体制御部５５および各スタッカ制御部５７を、投票用紙分類機３に含まれる１つの制御部１００（振分手段）とみなして説明することにする（図４参照）。
【０１０８】
投票用紙分類機３の待機状態において、係員によって、選挙区用の投票用紙Ｈａおよび比例区用の投票用紙Ｈｂ（複数種類の選挙に用いられる異なる様式の投票用紙Ｈ）が混在した状態でホッパー１６にまとめてセットされ、操作ボタン７（図１参照）が押されたとする。すると、制御部１００（全体制御部５５）は、前述したモータ（図示せず）を駆動させて、投票用紙Ｈの分類をスタートする（ステップＳ１）。
【０１０９】
これにより、ホッパー１６にセットされた投票用紙Ｈが、繰出部４５によって１枚ずつ繰り出されて本体搬送路１８を流れ、第１読取センサ３１および第２読取センサ３２を通過する（図３および図４参照）。
制御部１００（制御部７０）は、第１読取センサ３１および第２読取センサ３２から、投票用紙Ｈの取り込み不具合が生じた旨を受信したか否かによって、当該投票用紙Ｈがリジェクト票に該当するか否かを判断する（ステップＳ２）。制御部１００（制御部７０）は、投票用紙Ｈの取り込み不具合が生じた旨を受信すると、当該投票用紙Ｈがリジェクト票に該当すると判断する（ステップＳ２でＹＥＳ）。これにより、制御部１００（全体制御部５５）は、この投票用紙Ｈ（リジェクト票）を、制御ＰＣ４の記憶部７１に記憶された設定結果（図１０参照）においてリジェクト票に割り当てられたスタッカ番号（図１０では「０」）のスタッカ（リジェクトトレイ１７）に搬送する（ステップＳ３）。リジェクトトレイ１７には、リジェクト票が、異なる様式が混合した状態で搬送される。リジェクトトレイ１７（換言すれば、リジェクト部４９）は、このように搬送されてきたリジェクト票（つまり、未確定票のうち搬送不良のために排出されるリジェクト票）を、様式が混在した状態で受け入れる。
【０１１０】
制御部１００（制御部７０）は、第１読取センサ３１および第２読取センサ３２が投票用紙Ｈの表裏の表面から読み取った画像を受信すると、当該投票用紙Ｈがリジェクト票に該当しないと判断し（ステップＳ２でＮＯ）、当該画像および前記様式情報に基づいて、この投票用紙Ｈが、選挙区／比例区のどちらの投票用紙Ｈであるかを判別する（ステップＳ４）。つまり、制御部１００（制御部７０）は、制御ＰＣ４の記憶部７１に記憶されている各投票用紙Ｈの様式についての具体的内容（様式毎の違い）を当該画像に当てはめて、繰出部４５によって繰り出された投票用紙Ｈの様式を判別する。
【０１１１】
制御部１００（制御部７０）は、ステップＳ４において、この投票用紙Ｈが、選挙区の投票用紙Ｈａであると判別すると、先ほどの画像に基づいて、この投票用紙が、有効票であるか否かを識別する（ステップＳ５）。この投票用紙Ｈが有効票であれば（ステップＳ５でＹＥＳ）、制御部１００（制御部７０）は、先ほどの設定結果（図１０参照）に基づいて、この有効票の候補の搬送先となるスタッカ番号（図１０の場合、１〜１０のスタッカ番号のいずれか）を決定する。制御部１００（全体制御部５５）は、当該有効票を、決定されたスタッカ番号のスタッカ３４（有効票スタッカ）に搬送する（ステップＳ６）。
【０１１２】
一方、ステップＳ５において、制御部１００（制御部７０）は、この投票用紙Ｈが有効票でなければ（ステップＳ５でＮＯ）、先ほどの画像に基づいて、この投票用紙Ｈを、いずれの未確定票であるか（つまり、疑問票、無効票、他事記載票、白票、按分票のいずれであるか）も識別する。つまり、制御部１００（制御部７０）は、ステップＳ５において、（選挙区用であると判別された）投票用紙Ｈの種類（有効票またはいずれかの未確定票）を、第１読取センサ３１および第２読取センサ３２から送信された画像に基づいて識別する。疑問票の場合、制御部１００（全体制御部５５）は、この疑問票を、先ほどの設定結果において選挙区の疑問票に割り当てられたスタッカ番号（図１０では「１２」）のスタッカ３４（疑問票スタッカ）に搬送する（ステップＳ７）。無効票の場合には、制御部１００（全体制御部５５）は、この無効票を、先ほどの設定結果において選挙区の無効票に割り当てられたスタッカ番号（図１０では「１３」）のスタッカ３４（無効票スタッカ）に搬送する（ステップＳ８）。他事記載票の場合には、制御部１００（全体制御部５５）は、この他事記載票を、先ほどの設定結果において選挙区の他事記載票に割り当てられたスタッカ番号（図１０では「１４」）のスタッカ３４（他事記載票スタッカ）に搬送する（ステップＳ９）。白票の場合には、制御部１００（全体制御部５５）は、この白票を、先ほどの設定結果において選挙区の白票に割り当てられたスタッカ番号（図１０では「１５」）のスタッカ３４（白票スタッカ）に搬送する（ステップＳ１０）。按分票の場合には、制御部１００（全体制御部５５）は、この按分票を、先ほどの設定結果において選挙区の按分票に割り当てられたスタッカ番号（図１０では「１６」）のスタッカ３４（按分票スタッカ）に搬送する（ステップＳ１１）。
【０１１３】
制御部１００（制御部７０）は、ステップＳ４において、様式判別の対象である投票用紙Ｈが、比例区の投票用紙Ｈｂであると判別すると、図１４Ｂを参照して、先ほどの画像に基づいて、この投票用紙が、有効票であるか否かを識別する（ステップＳ１２）。この投票用紙Ｈが有効票であれば（ステップＳ１２でＹＥＳ）、制御部１００（制御部７０）は、制御ＰＣ４の記憶部７１に記憶された設定結果（図１０参照）に基づいて、この有効票の候補の搬送先となるスタッカ番号（図１０の場合、１７〜２６のスタッカ番号のいずれか）を決定する。制御部１００（全体制御部５５）は、当該有効票を、決定されたスタッカ番号のスタッカ３４（有効票スタッカ）に搬送する（ステップＳ１３）。
【０１１４】
一方、ステップＳ１２において、制御部１００（制御部７０）は、この投票用紙Ｈが有効票でなければ（ステップＳ１２でＮＯ）、先ほどの画像に基づいて、この投票用紙Ｈを、いずれの未確定票であるか（つまり、疑問票、無効票、他事記載票、白票、按分票のいずれであるか）も識別する。つまり、制御部１００（制御部７０）は、ステップＳ１２において、（比例区用であると判別された）投票用紙Ｈの種類（有効票またはいずれかの未確定票）を、第１読取センサ３１および第２読取センサ３２から送信された画像に基づいて識別する。疑問票の場合、制御部１００（全体制御部５５）は、この疑問票を、先ほどの設定結果において比例区の疑問票に割り当てられたスタッカ番号（図１０では「２８」）のスタッカ３４（疑問票スタッカ）に搬送する（ステップＳ１４）。無効票の場合には、制御部１００（全体制御部５５）は、この無効票を、先ほどの設定結果において比例区の無効票に割り当てられたスタッカ番号（図１０では「２９」）のスタッカ３４（無効票スタッカ）に搬送する（ステップＳ１５）。他事記載票の場合には、制御部１００（全体制御部５５）は、この他事記載票を、先ほどの設定結果において比例区の他事記載票に割り当てられたスタッカ番号（図１０では「３０」）のスタッカ３４（他事記載票スタッカ）に搬送する（ステップＳ１６）。白票の場合には、制御部１００（全体制御部５５）は、この白票を、先ほどの設定結果において比例区の白票に割り当てられたスタッカ番号（図１０では「３１」）のスタッカ３４（白票スタッカ）に搬送する（ステップＳ１７）。按分票の場合には、制御部１００（全体制御部５５）は、この按分票を、先ほどの設定結果において比例区の按分票に割り当てられたスタッカ番号（図１０では「３２」）のスタッカ３４（按分票スタッカ）に搬送する（ステップＳ１８）。
【０１１５】
以上のように、制御部１００は、投票用紙Ｈの様式を判別すると（ステップＳ４）、判別された様式別に、投票用紙ＨをステップＳ５やＳ１２での識別結果に応じて細分化し、複数の収納部（スタッカ３４）におけるいずれかに振り分ける。つまり、この投票用紙分類機３では、異なる様式が混在したままホッパー１６にセットされた投票用紙Ｈが、様式別に、投票用紙Ｈの種類毎（候補毎や未確定票の種類毎といった投票内容毎）に細分化され、複数のスタッカ３４におけるいずれかに自動的かつ速やかに振り分けられる。よって、１台の投票用紙分類機３において、異なる様式の投票用紙Ｈをまとめて受け入れて一括分類することができる。この場合、投票箱から投票用紙Ｈを取り出して投票用紙分類機３にセットするまでの開披作業の段階で、手作業によって投票用紙Ｈを様式別に分けてなくて済むので、開票作業における手間および時間を削減できる。また、開披作業に携わる人員を削減できる。また、この投票用紙分類機３では、分類条件の設定が、前述した設定画面９２（図９参照）による１度だけで済む。よって、投票用紙Ｈを様式毎に選別してホッパー１６に交替でセットする場合と比べて、投票用紙分類機３における分類条件（運用条件）の設定変更が不要であるし、投票用紙Ｈを、様式の違いを気にせずにホッパー１６に１度セットすれば済む点でも、開票作業における手間および時間を削減できる。そして、この投票用紙分類機３を採用すれば、１つの投票箱に、異なる様式の投票用紙Ｈをまとめて投票できるので、投票用紙分類機３の台数だけでなく、投票所に設置する投票箱や投票用紙分類機３の台数も少なく抑えることができ、投票所や開票所を簡素化することができる。
【０１１６】
以上の結果、異なる様式の投票用紙Ｈが混在した場合における投票用紙Ｈの開票作業における手間、時間およびコストを削減できる。このような効果を得るためには、前述した設定画面９２において、投票用紙Ｈを、様式別に、かつ、種類毎に収納すべき収納部とを関連付けるように投票用紙Ｈの収納先を割り当てることも重要である。
また、制御部１００は、確定票以外の未確定票（疑問票、無効票、他事記載票、白票、按分票）を、投票用紙Ｈの様式別に分けるようになっている（ステップＳ７〜Ｓ１１およびＳ１４〜Ｓ１８）。そのため、この投票用紙分類機３では、未確定票が投票用紙Ｈの様式別に分けられるので、未確定票を手作業で様式別に分けずに済む。
【０１１７】
なお、前述した正しい姿勢にない投票用紙Ｈは、収納先のスタッカへの搬送途中において、前述した向き修正処理が施されてもよい。
ここで、有効票でない場合において未確定票を無効票と識別する場合において（ステップＳ５およびＳ１２のそれぞれでＮＯ）、比例区の投票用紙Ｈｂに記載すべき候補名（政党名）が選挙区の投票用紙Ｈａに記載されていたり、選挙区の投票用紙Ｈａに記載すべき候補者名が比例区の投票用紙Ｈｂに記載されていたりすることがある（参議院選挙の場合も同様）。この場合、制御部１００（制御部７０）は、比例区の投票用紙Ｈｂに記載すべき候補名が記載された選挙区の投票用紙Ｈａと、選挙区の投票用紙Ｈａに記載すべき候補名が記載された比例区の投票用紙Ｈｂとを、いずれも、無効票と識別する。そのため、様式の異なる投票用紙Ｈのいずれもが、同じ候補を選んだ（同じ候補名が記載された）投票用紙である場合において、その候補名が、ある様式の投票用紙Ｈに記載された場合のみ有効であれば、制御部１００（制御部７０）は、当該ある様式の投票用紙Ｈの場合は、有効票と判断し、別の様式の投票用紙Ｈの場合は、無効票（または疑問票でもよい）と判断する。これにより、様式の異なる投票用紙Ｈ間での記入間違いを正確に識別できる。また、同じ候補名が記載された投票用紙Ｈが、複数の様式において存在したとしても、その候補が記載されていてもよい様式の投票用紙Ｈの場合のみ、有効票と判断されるので、有効票の正確な分類が可能となる。
【０１１８】
また、リジェクトトレイ１７に収納されたリジェクト票は、前述したようにホッパー１６に再セットされ、制御部１００によるステップＳ１〜Ｓ１８の処理によって、再度振り分けられる。この場合、前回の処理で細分化できなかったリジェクト票を、改めで、様式別、かつ、投票用紙Ｈの種類毎に細分化できる。
この発明は、以上の実施形態の内容に限定されるものではなく、請求項記載の範囲内において種々の変更が可能である。
【０１１９】
たとえば、図１４Ａおよび図１４Ｂでの処理において、繰り出される投票用紙Ｈの様式を判別するステップＳ４と、投票用紙Ｈを識別するステップＳ５，Ｓ１２とが逆の順序で行われてもよい。つまり、先の投票用紙Ｈを識別してから、その様式を判別した後に、様式別かつ種類別に投票用紙Ｈを細分化して、収納先のスタッカ３４（必要に応じてリジェクトトレイ１７）に搬送してもよい。また、前述した実施形態では、衆議院選挙の選挙区用の投票用紙Ｈａと比例区用の投票用紙Ｈｂという２つの様式の投票用紙Ｈを１台の投票用紙分類機３で一括分類する場合について説明したが、収納先（スタッカ３４）に余裕があれば、３つ以上の様式の投票用紙Ｈを１台の投票用紙分類機３で一括分類できても構わない。
【０１２０】
また、前述した実施形態では、第１読取センサ３１および第２読取センサ３２を用いて投票用紙Ｈの様式を判別するようにしている。これに代え、ある所定の区間を投票用紙Ｈが通過するのにかかった時間を検知するセンサを用いれば、サイズ違いにより異なる投票用紙の様式を、当該時間の差に応じて判別することができる。
また、リジェクトトレイ１７の数は任意に変更可能である。リジェクトトレイ１７を複数設ける場合には、あるリジェクトトレイ１７にはリジェクト票を収納して、他のリジェクトトレイ１７には、リジェクト票以外の投票用紙Ｈを収納することができる。
【０１２１】
また、投票用紙分類機３による分類処理は、係員による操作ボタン７の押下によって開始されているが、係員がホッパー１６に投票用紙Ｈをセットすると自動で開始されてもよい。
また、投票用紙分類機３内には、投票用紙Ｈの重送状態や斜行状態を防止したり、解消したりできる機構が設けられていてもよい。
【０１２２】
なお、投票用紙分類システム１は、投票用紙分類機３と制御ＰＣ４とを少なくとも有していればよいので、前述したプリンター５は適宜取捨されてもよい。また、前述したように、投票用紙分類機３と制御ＰＣ４とを一体化した構成（制御ＰＣ４が投票用紙分類機３に組み込まれた構成）としてもよい。この構成では、制御ＰＣ４の表示部８や操作部９が投票用紙分類機３に配置され、制御ＰＣ４の制御部７０と全体制御部５５とが一体化されることになる。
【０１２３】
また、未確定票における（未確定の）要因のうち、発生する頻度が極端に低い要因については、個別のスタッカ３４に割り当てることが無駄になるため、複数の要因の未確定票を１つのスタッカ３４に振り分けるように設定してもよい。
また、制御ＰＣ４は、リジェクト票、疑問票、無効票、白票、スタッカフル票および按分票のすべてを未確定票に識別していたが、都合に応じて、これらの少なくとも１つ以上を未確定票に識別してもよい。
【０１２４】
また、スイッチバック反転部４８およびスパイラル反転部５０については、投票用紙Ｈの向きを同様に変換できるものであれば、たとえば特開平９−２１２６９９号等に記載される他の方式を採用してもよい。
【符号の説明】
【０１２５】
３      投票用紙分類機
１６    ホッパー
１７    リジェクトトレイ
１８    本体搬送路
３１    第１読取センサ
３２    第２読取センサ
３４    スタッカ
４５    繰出部
４９    リジェクト部
５５    全体制御部
５７    スタッカ制御部
７０    制御部
１００  制御部
Ｈ      投票用紙
【図１】
2014154093.tif 000003
【図２】
2014154093.tif 000004
【図３】
2014154093.tif 000005
【図４】
2014154093.tif 000006
【図５】
2014154093.tif 000007
【図６】
2014154093.tif 000008
【図７】
2014154093.tif 000009
【図８】
2014154093.tif 000010
【図９】
2014154093.tif 000011
【図１０】
2014154093.tif 000012
【図１１】
2014154093.tif 000013
【図１２】
2014154093.tif 000014
【図１３】
2014154093.tif 000015
【図１４Ａ】
2014154093.tif 000016
【図１４Ｂ】
2014154093.tif 000017